(57)【要約】  ロック機構に関する発明群が提案されており、そのロック機構は、グリップ付きの部分と複数のロックに適した複数の交換可能なシークレットに分割されたキー、すべてのロックの交換可能なキーシークレットがキー頭部のグリップに取り付けられることによって、鍵束の重量と寸法を減らし、頭部とさまざまなロックの複数のキーシークレットを備えたキーの一部のみを持ち運びできるようにし、鍵束の重量と寸法を減らし、ロック機構の安全性を向上させる適切なドッキング機構を備えたロックを含む。図は、シリンダー式機構に関連するキーの例示で、キーシャンクにおける２つのグリップの位置を示す。【選択図】図２
2021523315.tif 000002
【特許請求の範囲】
【請求項１】
少なくとも１つのロックと、外部からロックに挿入される少なくとも１つのキーとを備えているロック装置であって、
ロック装置のロックとキーの両方は、
・キー頭部、キーシークレット、ロックケース、ロックバーなどを含むが、これらに限らない部分と、
・ロックシークレット機構などを含むが、これらに限らない機構と、
・ねじ、ねじ穴などを含むが、これらに限らない、前記部分および／または前記機構の要素と、必要な数の装飾的なり作動に必要なりの要素から、構成され、
その部品、機構、部品の要素、および機構の要素は、すべて合わせて使用される場合、各々が使用される場合、可能なコンビネーションおよび組み合わせのどれでも使用される場合、１つずつおよび／または複数で使用される場合、コンポーネントおよび／またはロック装置のコンポーネント、および／またはロックのコンポーネント、および／またはキーのコンポーネントと呼ばれており、
前記ロック装置には、閉状態と開状態の少なくとも２つ静的状態があり、  
前記ロック装置は、他の操作の中で、前記ロック装置が１つの静的状態から他の静的状態に移行するロック装置の少なくとも１つの作動ストロークの操作を実行できるように設計され、
前記ロック装置の作動ストロークの開始は、前記ロック装置を他の静的状態に移行させるために必要な最初の操作の開始と時間的および空間的に合わせられ、ロック装置の作動ストロークの終了は、移行に必要な最後の操作の終了と時間的および空間的に合わせられ、
前記ロック装置の作動ストロークの開始および終了の間に実行される前記ロック装置のコンポーネントのすべての操作は、ロック装置の作動ストローク中、および／またはロックの作動ストローク中、および／または作動ストローク中に実行され、これら３つの概念はすべて同様であり、
前記ロック装置は、必要に応じて、他のコンポーネントと分離されたまたは組み合わされたその他のコンポーネントのうち、
ロックバー、
および／またはロックシークレット機構、
および／またはキーシークレット送達溝、
および／またはロックバー駆動、
および／またはロックケースを含むが、これに限定されず、
前記ロック装置のキーは、分割、および／または遮断、および／またはドッキング解除、および／またはコンポーネント分解、および／または接続、および／またはドッキング、および／または複数のコンポーネントからの一体的な組み立てを行うことができるように設計されており、
前記ロック装置は、ロックと、前記ロックに適合する、つまり、前記ロックを他の静的状態に移行させるキーを備え、
前記ロック装置が、
必要な数、１つまたは複数、全部または一部、または任意の組み合わせで以下のコンポーネントを含むことを特徴とするロック装置であり、その各コンポーネントは個別に、および他のコンポーネントとともに、およびそれらの任意の組み合わせで使用されることができ、少なくとも１つの以下のコンポーネントの使用は本発明による効果を奏することを可能にし、
前記コンポーネントの各々は、既知および／または未知の材料および／または材料の任意の組み合わせから作られることができ、既知および／または未知の保護および／または装飾材料および／またはそれらの組み合わせでコーティングおよび／または塗装されることができ、
前記コンポーネントの各々は、独立した装置として作製され、および／またはロックおよび／またはキーと組み合わせられ、各コンポーネントと分割され、および／または他のコンポーネントに設置され、分離され、および／または他のコンポーネントと組み合わせられることができ、  
各コンポーネントは、任意の既知および／または未知のエネルギー源から、および／またはこれらのエネルギー源の任意の組み合わせにより駆動されることができ、
各コンポーネントは、既知および／または未知の方法のいずれか、および／またはそれらの任意の組み合わせによって実行されることができ、
各コンポーネントの作動および／または操作は、既知および／または未知の方法、および／または物理的、化学的、電気的、電子的、機械的およびその他の現象、法則、および効果および／またはそれらの任意の組み合わせの中の既知および／または未知のものに基づくことができ、
各コンポーネントは、他のコンポーネントのすべての機能、または他のコンポーネントの機能の一部を実行することができ、
いずれのコンポーネントの作動は、作動ストローク中に実施され、
つまり、前記ロック装置が、
・キーを複数のコンポーネントに分割し、
および／またはキーを複数のコンポーネントから一体的に組み立て、
および／またはキー結合機能および／またはキー解除機能、
および／またはキー接続機能および／または切断機能、
および／または、キーの取り付け機能および／またはキーの取り外し機能、
および／またはキーを￥の組み立て機能および／またはキーの分解機能を有しており、
前記機能を実行した結果、キーは前記コンポーネントに分割され、および／またはキーはキーのコンポーネントから組み立てられる、ドッキング機構と、
・および／または、キーシークレット送達溝を分割する機構であって、キーシークレット送達溝を複数の溝に遮断する機能、および／またはキーシークレット送達溝を複数の溝から一体的に接続する機能を実行し、その作動の際、キーシークレット送達溝は、少なくとも外部空間に接続されるキーシークレット外側送達溝、および外部空間に接続されないキーシークレット内側送達溝に分割され、および／または外部空間にアクセスできるキーシークレット送達溝に接続される機構と、
・および／または、キーシークレット送達溝に少なくとも１つの溝障壁を設置するように構成され、前記溝障壁が設置された後、前記キーシークレット送達溝は前記溝障壁によって複数の溝に分割される、溝障壁機構と、
・および／または、設置された後キーシークレット送達溝を複数の溝に分割する溝障壁と、
・および／または、少なくとも１つのキーブロックを設置することができ、その作動の結果、キーコンポーネントは前記ブロックによって互いに分割される、キーブロック機構と、
・および／または、設置された後、キーコンポーネントを互いに分割するキーブロックと、
・および／または、前記コンポーネントのうち少なくとも１つのキーシークレットを含むキーコンポーネントをロックシークレット機構へ送達できるように作られ、ロックシークレット機構へ配送された、キーシークレットを含む前記キーコンポーネントは、他のキーコンポーネントから分割されている、キーシークレット送達機構とを含み、
・および／または、キーシークレットがロックシークレット機構へ送達されたキーシークレット送達機構の位置においてキーシークレット送達機構がキーシークレット送達溝にアクセスできない、および／またはキーシークレット送達溝から遮断され、一方で、キーシークレット送達機構がキーシークレット送達溝にアクセスできる位置の際、前記キーシークレット送達機構がキーシークレット機構にアクセスできない、および／またはキーシークレット機構から遮断される、ロック装置。
【請求項２】
キーであって、
他のコンポーネントのうち、人の手の上に配置され、作動ストローク中に人の手から応力を受ける頭部および／または他のキーコンポーネントと、キーシークレットと、また、必要に応じて、限定されない、シャンク、キー頭部カバー、ケース等のキーの他のコンポーネントのうち必要な数のキーのコンポーネントを含み、
少なくとも１つのキーシークレットは、出願日に既知および／または未知の方法のいずれか、および／またはこれらの方法の任意の組み合わせによって実行される、キーコンポーネントの接続および／または遮断を可能にする、少なくとも１つのグリップを介して、直接および／または他のキーコンポーネントを介して、１つまたは複数のキーコンポーネントに接続され、
・前記キーシークレットは、出願日に既知および／または未知の方法のいずれか、またはこれらの方法の任意の組み合わせによって実行されることができ、
・前記キーシークレットは、個別に、またはキーの他のコンポーネントとともにグリップに接続されることができ、
少なくとも１つの前記キーシークレットは、少なくとも１つのグリップを介して、他のキーコンポーネントに接続され、前記グリップは、接続および／または分解が可能なように作られており、
・さらに、前記グリップは、キーの他のコンポーネントから完全におよび／または部分的に分割可能であり、
・および／または前記グリップのコンポーネントは、キーの他のコンポーネントに接続することができ、
他のキーシークレットは、必要に応じて、分割不可能に任意のキーコンポーネントに接続されることができ、
少なくとも１つのキーシークレットが、完全にまたは部分的に、個別に、および／またはキーの他の複数のコンポーネントとともに、既知および／または未知の方法のいずれか、および／またはそれらの任意の組み合わせで、
・キーが外側、つまりロックケース外に配置される場合にも、
・キーがロックケース内および／またはロックコンポーネントの本体内に配置される場合、またはロックコンポーネント内に配置される場合にも、
他のキーコンポーネントから分割され、および／または他のキーコンポーネントに取り付けられることができるように
グリップが作られていることを特徴とする、キー。
【請求項３】
ロックであって、
ロックには閉状態と開状態の少なくとも２つの静的状態があり、前記ロックが１つの静的状態から他の静的状態に移行する作動ストロークを実行することができ、
前記ロックの作動ストロークの開始は、ロックを他の静的状態に移行させるために必要な最初の操作の開始時点と一致し、前記ロックの作動ストロークの終了は、移行に必要な最後の操作の終了時点と一致し、
さらに、ロックの作動ストロークの開始と終了の間のロックとキーの機構のすべての操作は、ロックの作動ストローク中に実行され、
前記ロックは、必要に応じて、他のコンポーネントと分離されたまたは組み合わされたその他のコンポーネントのうち、必要な数の
キーシークレット送達溝とは別に作製されることができるロックシークレット機構、
および／またはロックバー、
および／またはロックケース、
および／またはロックバー駆動、
および／または、溝を分割できるように、および／または溝障壁および／またはキーブロックを設置できるように製造可能であるキーシークレット送達溝、
および／またはキーシークレット送達溝を遮断できる溝分割機構、
および／またはキーの解体および／または組み立てを実行することができるドッキング機構、
および／または溝障壁の設置が￥を実行することができる溝分割機構、
および／またはキーブロックの設置を実行することができるキーブロック機構、
および／またはキーシークレットの送達を実行することができるキーシークレット送達機構を含み、
少なくとも１つの適切なキーによって、１つの状態から別の状態に移行され、
前記キーは、他のキーコンポーネントと分割または結合されるが、これに限定されず、他のキーコンポーネントのうち、必要な数の
頭部、および／または人が触れる他のキーコンポーネント、
および／またはシャンク、
および／または頭部のカバー、
および／またはケースを含み、
少なくとも１つのキーシークレットは、
出願日に既知および／または未知の方法のいずれか、および／またはこれらの方法の任意の組み合わせによって製造された、キーコンポーネントの接続および／または分割を可能にする少なくとも１つのグリップを介して、少なくとも１つのキーコンポーネント、たとえばキーシャンクに、直接および／または任意のキーコンポーネントを介して取り付けられ、
前記キーシークレットは、出願日に既知および／または未知の方法のいずれか、またはこれらの方法の任意の組み合わせによって製造されることができ、他のキーコンポーネントと別にまたは一緒にグリップに取り付けられることができ、
少なくとも１つの前記キーシークレットは、接続および／または分割可能な少なくとも１つのグリップを介して、キーコンポーネントに接続され、前記キーシークレットは、グリップとともに、および／またはグリップコンポーネントとともに、および／または個別に、他のキーコンポーネントから分割可能であり、  
他のキーシークレットは、必要に応じて、キーコンポーネントから分割されることなく、任意のキーコンポーネントに取り付けられることができ、
以下の特性の１つまたは複数、全部または一部、または任意の組み合わせの必要な数を含み、各特性は、個別に、または他の特性とともに、以下の特性の任意の組み合わせで使用されることができ、これらの特性のいずれか、またはそれらの任意の組み合わせの適用は、本発明による効果を奏することを特徴とし、
つまり
・作動ストローク中に、少なくとも１つのキーシークレットは、他のキーコンポーネントとともにおよび／または個別に、他のキーコンポーネントから分割、および／または他の複数のキーコンポーネントに接続されることができ、
・および／または、キーコンポーネントの間に、少なくとも１つのグリップまたは同機能を実行する他のコンポーネントが設置され、前記グリップにより、既知および／または未知の方法のいずれか、およびこれらの方法の任意の組み合わせによって、作動ストローク中に、キーがロックに取り入れられたとき、キーコンポーネントに分割可能でありおよび／またはキーコンポーネントから一体的に組み立て可能であり、
・および／またはロックは、少なくとも１つのドッキング機構または同機能を実行する他のコンポーネントを含み、前記ドッキング機構によって、ロックの作動ストローク中に、キーがコンポーネントに分割可能でありおよび／またはキーコンポーネントから一体的に組み立て可能であり、
・および／または、キーシークレット送達溝は、作動ストローク中に、既知または未知の方法のいずれか、およびこれらの方法の任意の組み合わせによって、複数の溝に分割可能でありおよび／または複数の溝から一体的に接続される可能であり、
・および／または、ロックの作動ストローク中に、分割されたキーコンポーネントは、たとえば、任意の形状の可動シャッター、可動および／または固定の円形セクター、別の任意の幾何学的形状を有する、分割されたキーコンポーネントを一体的に結合させないキーブロックおよび／または溝障壁によって、必要な時間中に分割され、
・および／または、ロックの作動ストローク中に、少なくとも１つのキーシークレット送達溝は、たとえば、任意の形状の可動シャッター、可動および／または固定の円形セクター、別の任意の幾何学的形状を有する、分割されたキーコンポーネントを一体的に結合させない、少なくとも１つのキーブロックおよび／または溝障壁によって必要な時間中に分離され、
・および／または、作動ストローク中に、必要に応じて、少なくとも１つのキーシークレットの移動を含むが、これらに限定されない、複数のキーコンポーネントの移動は、他のキーコンポーネントとは別に実行され、コンポーネントの移動は、ロックの外側および／または内側で実行されることができ、
・および／または、作動ストローク中に、ロックシークレット機構は、他のキーコンポーネントから分割され、キーシークレット全体または一部のキーシークレットを含むキーコンポーネントによって作動され、
・および／または、他のキーコンポーネントから分離された、少なくとも１つのキーシークレットを含むキーコンポーネントは、キーシークレット送達溝を含むいずれかのロックコンポーネントによって、作動ストローク中にロックシークレット機構へ送達され、
・および／または、キーのグリップは、キーが外部からロックに取り入れられた際に、作動ストローク中にキーの分割および組み立てに使用され、
・および／または、ロックは、少なくとも１つの空洞を有する少なくとも１つのキーブロック、および／または少なくとも１つの溝障壁を備え、キーが組み立てられるおよび／または分割される際に、前記空洞にキーグリップが配置され、
・および／または、キーシークレット送達機構には少なくとも２つの異なる位置があり、キーシークレット送達機構は、一つの位置ではキーシークレット外側送達溝にアクセスできるが、ロックシークレット機構にはアクセスできず、もう一つの位置では、ロックシークレット機構にアクセスできるが、キーシークレット外側送達溝にはアクセスできず、
・および／または、ロックは、キーが分割された状態でキーコンポーネントをロックから取り出すことを防ぎ、キーが組み立てられた状態でそのような取り出しを可能にする、少なくとも１つのストッパーを備えている、ロック。
【請求項４】
ロック装置であって、
前記ロック装置は、少なくとも１つのキーを備え、前記キーは、他のキーコンポーネントのうち、人の手の上に配置され、作動ストローク中に人の手から応力が伝達される、頭部および／または必要な数の別のキーコンポーネントを含み、必要に応じて、他のコンポーネントのうち、これらに限定されないが、必要な数の他のキーコンポーネント、たとえば、シャンク、キーの持ちやすさのためのカバー、および／またはキーがポケットの生地の破れを防ぐケースなどを含み、
少なくとも１つのキーコンポーネントに、
出願日に既知および／または未知の方法のいずれか、および／またはこれらの方法の任意の組み合わせによって実行され、接続と分割を可能にする少なくとも１つのグリップを介して、
直接および／または任意のキーコンポーネントを介して少なくとも１つのキーシークレットが接続され、前記キーシークレットは、出願日に既知および／または未知の方法のいずれか、またはこれらの方法の任意の組み合わせによって製造可能であり、
前記キーシークレットは、個別に、または他のキーコンポーネントとともにグリップに接続可能であり、
他のキーシークレットは、必要に応じて、キーコンポーネントから分割されることなく、前記キーコンポーネントに接続可能であり、
前記ロック装置は、また、少なくとも１つのロックを含み、ロックには閉状態と開状態の少なくとも２つの静的状態があり、前記ロックは、ロックが１つの静的状態から他の静的状態に移行するような作動ストロークを実行することができ、
前記ロックの作動ストロークの開始は、ロックを別の状態に移行させるために必要な最初の操作の開始と一致し、ロックの作動ストロークの終了は、移行に必要な最後の操作の終了と一致し、
作動ストロークの開始と終了の間のロックとキーのすべての操作は、作動ストローク中に実行され、
前記ロック装置は、必要に応じて、ただこれらに限定されないが、ロックの他のコンポーネントと分割可能または接続可能なロックの他のコンポーネントのうち、キーシークレット送達溝、ロックシークレット機構、ロックバー駆動、１つのロックバー、ロックケースを含み、
前記ロック装置は、
キーシークレットを他のキーコンポーネントに取り付けるグリップが、前記グリップが接続するキーコンポーネントの１つまたはすべてから分割可能であり、
および／または、グリップにより接続されるキーコンポーネントが、グリップとともに、および／またはグリップのコンポーネントの一部とともに、および／またはグリップとは別に、グリップにより接続される他のキーコンポーネントから分割可能であり、
および／または、キーシークレットを他のキーコンポーネントに取り付けるグリップが、グリップにより接続されるキーコンポーネントの１つまたはすべてに接続されることができ、および／またはグリップにより接続されるキーコンポーネントが、グリップとともに、および／またはグリップのコンポーネントの一部とともに、および／または個別に、グリップにより接続される他のキーコンポーネントに接続可能であり、
および／または、グリップに隣接するシャンクのコンポーネントまたはシャンク全体、および／またはグリップに隣接するキーシークレットのコンポーネントまたはキーシークレット全体が、磁石に引き付けられる材料で作られ、および／または磁石で作られ、および／または必要な数の磁石がグリップに隣接するシャンクのコンポーネントおよび／またはグリップに隣接するロックシークレットのコンポーネントに固定され、および／またはグリップの合わせ部分が磁石および／または磁石に引き付けられる材料で作られ、および／または必要な数の磁石がグリップの合わせ部分に固定され、
および／または、グリップに隣接するシャンクの部分および／またはグリップに隣接するキーシークレットの部分および／またはグリップに隣接する部分が、Ｔ字型の溝、ダブテール、バネ、ブラケットの形状の、取り外し可能な機械的固定マウントを備え、グリップおよび／またはシャンクおよび／またはキーシークレットの合わせ部分は、前記固定マウントと一致する形状であり、
および／またはグリップ、シャンク、およびキーシークレットが、円筒形等の総形状を有し、
および／または、グリップが、一端ではシャンクの端面に磁気引力によって取り付けられ、他端では同じ磁気引力によってロックシークレットの端面に取り付けられ、
および／または、グリップが、シャンクおよび／またはキーシークレットがグリップに対して移動することを防ぎ、キーコンポーネントの分割と接続を妨害しない、たとえば、円錐形のセンタリングコンポーネントを含み、
前記ロックは、ケースからなり、ケースには穴が作られ、ケースの内側の穴には溝が作られ、
前記溝にロックシークレット機構が配置され、
前記穴には軸方向の穴および偏心形状の穴を有する仕切りが動かないように取り付けられ、
前記仕切りは、穴と一体的、またはそれとは別に製造可能であり、
仕切りの偏心形状の穴は、ロックシークレット機構から離れ、
ロックケースの両側で穴にタンデムシリンダーが配置され、
前記タンデムシリンダーは、シャフト、内側同軸シリンダーおよび外側同軸シリンダーからなり、
外側同軸シリンダーおよび内側同軸シリンダーは、前記仕切りによって分割され、
シャフトは、仕切りの軸方向の穴に配置され、
両方の同軸シリンダーは、シャフトに対して移動できないように、仕切りの両側でシャフトに固定され、
タンデムシリンダーは、仕切りの軸方向の穴のシャフトとともに回転可能であり、
または、同軸シリンダーは、共通の回転軸に対して半径方向に向けられた固定仕切りによって分割され、
前記仕切りはロックケースに接続され、
前記仕切りに軸方向の穴および偏心形状の穴が作られ、
タンデムシリンダーのシャフトが仕切りの軸方向の穴に配置され、
シャフトとタンデムシリンダーは固定仕切りの軸方向の穴で回転可能であり、
固定仕切りの偏心形状の穴は、キーグリップ断面の形状のように作られ、
ロックの外側に近い位置にある同軸シリンダーの１本には、キーシークレット外側送達溝を形成する偏心形状の穴があり、ロックの外側から離れた位置にあるもう１本の同軸シリンダーには、キーシークレット内側送達溝を形成する偏心形状の穴があり、
キーシークレット送達溝は、キーシャンクの形状を有する外側同軸シリンダーの一定および／または可変断面の形状の穴、グリップの形状を有する固定仕切りの偏心形状の穴、およびキーシークレットの形状を有する内側同軸シリンダーの一定および／または可変断面の形状の穴によって形成され、
ロックが静的位置にあるタンデムシリンダーの特定の位置にある固定仕切りの偏心穴は、キーシークレット外側送達溝の開口部およびキーシークレット内側送達溝の開口部と一致し、前記位置で一体型のキーシークレット送達溝を形成し、ロックの前記静的位置では、キーシークレット機構がキーシークレット内側送達溝に接続されず、
ドッキング機構、溝分離機構、キーブロック機構、溝障壁機構の機能は、タンデムシリンダーと固定仕切りによって実行され、溝障壁とキーブロックは、タンデムシリンダーを分離する固定仕切りによって形成され、  
固定仕切りの軸方向の位置は、キーが正しく取り入れられた場合のグリップの位置と一致し、固定仕切りの厚みは、グリップの長さと一致し、
ロックの静的位置にて、キーシークレット外側送達溝およびキーシークレット内側送達溝は、固定仕切りの偏心穴によって接続され、一体型のキーシークレット送達溝を形成し、
作動位置にてロックの作動ストローク中に、キーが取り入れられたロックのタンデムシリンダーは、人の手から伝達される、キーの頭部によって受け取られる回転運動によって回転され、
タンデムシリンダーの回転は一周の一部で行われ、
グリップはキーのシャンクと頭部から分割され、前記グリップは固定仕切りの偏心穴に残され、
シャンクと頭部とキーシークレットがグリップから分割され、外側と内側のタンデムシリンダーとともに回転させられ、
タンデムシリンダーの回転角度は、キーシークレット内側送達溝に配置されたキーシークレットがロックのシークレット機構へ送達されるように設定され、
キーのコンポーネントは、固定仕切りとして製造されたキーブロックによって分割され、
キーシークレット外側送達溝とキーシークレット内側送達溝が分離され、
キーシークレット外側送達溝とキーシークレット内側送達溝の間に固定仕切りとして製造された溝障壁が配置され、
グリップはシャンクとキーシークレット両方から分割され、固定仕切りに面するタンデムシリンダーの端面によって固定仕切りの偏心穴に保持され、
シャンクと頭部はキーシークレット外側送達溝に配置され、
キーシークレットはキーシークレット内側送達溝に配置されてロックシークレット機構へ送達され、
グリップが固定仕切りの偏心形状の穴に配置され、
キーシークレットが外部からアクセスできないロックシークレット機構へ送達され、
さらに、内側シリンダーに偏心形状の穴に向けられた必要な形状の空洞が作られ、
前記空洞によりロックシークレット機構へアクセスが可能になり、
キーシークレットの送達は内側同軸シリンダーにより実行され、
ロックシークレット機構はキーの他のキーコンポーネントから分割されたキーシークレットによって作動され、
ロックケースには、外側シリンダーの前にカバーストッパーが設置され、そのカバーストッパーに穴がカットアウトで作られ、ロックの静的位置にてキーが組み立てられた場合のみ、前記カットアウトによりキーの取入れおよび取り出しが可能になる、ことを特徴とする、ロック装置。
【請求項５】
複数のロックのキーの束のサイズと重量を減らす方法であって、
少なくとも１つのグリップを使用して、部分に分割可能である少なくとも１つのキーと、
少なくとも１つの交換可能なキーシークレットとを含み、
キーシークレットは個別に製造され、および／またはキーの任意の部分に接続され、
各シークレットは、少なくとも１つのロックに適合し、
ロックの作動ストロークを実行するためにキーを使用する前に、開錠されるロックに適した交換可能なキーシークレット少なくとも１つを、キーグリップに取り付ける、ことを特徴とする、方法。
【請求項６】
ロック機構の作動方法であって、
前記ロック機構は、限定されないが、以下のロックのコンポーネントを含むロックを含み、前記コンポーネントは、まとめて、または個別に、任意の組み合わせで設置可能であり、各々が必要な数で設置可能であり、前記コンポーネントは
ロックケース、
キーシークレット送達溝、
ロックシークレット機構、
ロックバー駆動、
ロックバー、
キーの分割および／または組み立てのためのドッキング機構、
キー部分を分割するキーブロック、
キーシークレット送達溝を部分に分割する溝障壁、
キーシークレット送達溝を分割する溝分割機構、
キーシークレット送達溝にキーブロックを配置するキーブロック機構、
分割されたキーコンポーネントをロックシークレット機構へ送達するキーシークレット送達機構であり、
限定されないが以下のロックのコンポーネントを含むキーを含み、これらのコンポーネントは、まとめて、または個別に、任意の組み合わせで設置可能であり、各々が必要な数で設置可能であり、前記コンポーネントは、
頭部、
シャンク、
ロックシークレット、
ロックの外側および／またはロックの内側でキーを部分に分割し、ロックの外側および／またはロックの内側でパーツからキーを組み立てることができるグリップ、
ケース、
カバーであり、
キーがキーシークレット送達溝に設置され、その後および／または設置と同時に、頭部が目的の方向に移動および／または回転され、キーシークレットがロックシークレット機構と一致する場合、ロックが開錠され、ロックが逆の順番で閉められ、
前記操作の全部または一部と同時におよび／または後に、または下記の操作の全部または一部、同時または順番で、または任意の組み合わせで実行され、これらの操作の一部は、個別におよび他の操作とともに、または以下の操作の任意の組み合わせで実行され、これらの操作のいずれかまたはそれらの任意の組み合わせの実行により、同様の本発明の結果を奏することができ、その操作は、  
・任意のロックコンポーネントの操作によってキーをキーコンポーネントに分割する、および／またはロックコンポーネントの操作によってそのコンポーネントからキーを組み立てること、
・および／またはロックに取り入れられたキーを必要な数のコンポーネントに分割する、および／またはコンポーネントからロック内のキーを組み立てること、
・および／またはロックの作動ストローク中に、キーがコンポーネントに分割され、および／またはロックの作動ストローク中に、キーがコンポーネントから組み立てられること、
・および／またはロックの作動ストローク中に、キーグリップを使用して、キーをキーコンポーネントに分割し、および／またはキーをそのコンポーネントから組み立てること、
・および／またはロックの作動ストローク中に、少なくとも１つのドッキング機構またはロックの他のコンポーネントが作動され、これにより、キーがコンポーネントに分割され、および／またはキーがコンポーネントから組み立てられること、
・および／または任意のロックコンポーネントによって、キーシークレット送達溝を必要な数の部分に分離すること、
・および／またはロックの作動ストローク中に、キーシークレット送達溝は、キーシークレット外側送達溝とキーシークレット内側送達溝を含む部分に分離されること、
・および／またはロックの任意のコンポーネントによって溝障壁をキーシークレット送達溝に設置すること、
・および／または溝障壁により、キーシークレット送達溝の部分を互いに分割すること、
・および／または溝障壁またはキーブロックにより、キー部分を互いに分割すること、
・および／またはロックの作動ストローク中に、キーシークレット送達溝の部分を分離する、少なくとも１つの溝障壁がキーシークレット送達溝に設置されること、
・および／またはロックの作動ストローク中に、分割後にキーの部分を互いに分割する、少なくとも１つのキーブロックが設置されること、
・および／またはキー頭部または他のキーコンポーネントとともにその一部は、外部空間に接続されたキーシークレット外側送達溝に残されること、
・および／または分割されたキーシークレット内側送達溝および／または溝障壁および／またはキーブロックによってキーシークレット外側送達溝から分割されたキーシークレット内側送達溝に
・個別にまたはキーから分割された他のキーコンポーネントとともに、キーから分割されたキーシークレット、および／または
・個別にまたはキーから分割された他のキーコンポーネントとともに、キーから分割されたキーシークレットの一部、を配置すること、
・および／またはロックのコンポーネントのいずれかが、キーから分割されたキーシークレットを個別に、またはキーシークレットに接続された他のキーコンポーネントとともにグリップすること、
・および／またはロックの任意のコンポーネントによって、他のキーコンポーネントから分割されたキーシークレット全体またはキーシークレットの一部を、他のコンポーネントからも分割された他の特定のキーコンポーネントとともに、またはそれら無しで、ロックシークレット機構へ移動させること、
・および／またはロックシークレット機構は、キーシークレット外側送達溝と分けて製造されること、
・および／またはキーシークレット送達溝は、特定の位置にあるキーシークレット送達機構またはその機能を実行する別のロックコンポーネントと一時的に接続されること、
・および／またはロックのキーシークレット送達機構または前記機能を実行する他のコンポーネントがロックのシークレット機構に接続される位置が、キーシークレットの送達機構または前記機能を実行する他のロックコンポーネントがキーシークレット外側送達溝に接続される位置と異なること、
・および／またはロックの作動ストローク中に、分割されたキーコンポーネントのキーシークレット送達溝からの取り出しを防止する、少なくとも１つのストッパーが作動すること、
・および／またはロックの作動ストローク中に、キーのさまざまなコンポーネントが個別に移動し、および／またはロックの作動ストローク中にキーのさまざまなコンポーネントが異なる軌道に沿って移動すること、
・および／またはロックの作動ストローク中に、他のキーコンポーネントから分割された、少なくとも１つのキーシークレットが、少なくとも１つのロックシークレット機構と相互作用し、
・および／またはロックの作動ストロークには、
・キーはコンポーネントに分割され、
・同時に、または後にキーシークレット送達溝が分離され、
・および／またはキーシークレット外側送達溝を溝障壁によってキーシークレット内側送達溝から分割し、
・および／または溝障壁および／またはキーブロックによって分割されたキーコンポーネントを分割し、
・他のキーコンポーネントから分離されたキーシークレットは、個別に、または他のキーコンポーネントとともに、ロックシークレット機構へ送達される、との操作が含まれていること、
・および／またはロックの作動ストローク中に、
・キーの他のコンポーネントから分割されたキーシークレットは、人の手がキーの頭部または同機能を実行するキーの別のコンポーネントに作用することにより、キーの他のコンポーネントとは別に、またはともに、ロックシークレット機構へ送達されるとの操作を実行すること、
・および／またはロックの作動ストローク中に、他のキーコンポーネントとともにまたはそれらなしで、他のキーコンポーネントから完全にまたは部分的に分割された、少なくとも１つのキーグリップが、溝障壁および／またはキーブロックに配置されること、
・および／またはキーコンポーネントの１つに恒久的に取り付けられているグリップが、他のキーコンポーネントに取り付けられ、および／または他のキーコンポーネントから分割される、
ことを特徴とする、方法。
【請求項７】
キーであって、
他の要素のうちグリップを備え、キーシークレットはケースに配置され、キーがキーシークレット送達溝に設置される際にキーシークレットがケースから取り出され、キーシークレットが分割される際にグリップは完全にまたは部分的にケース内に残ることを特徴とする、キー。
【請求項８】
ロックであって、
ロックの作動ストローク中にキーがロックに設置された後、コンポーネントに分割され、そのキーが取り出される前に、コンポーネントから組み立てられることを特徴とする、ロック。
【請求項９】
キーであって、
適切なロックに設置した後、作動ストローク中にキーをコンポーネントに分割し、ロックから取り出す前に、キーをコンポーネントから組み立てることを特徴とする、キー。
【請求項１０】
ロックの安全性を高める方法であって、
キーをロックに設置した後、ロックの作動ストローク中に、キーがコンポーネントに分割され、キーをロックから取り出す前に、前記キーがコンポーネントから組み立てられることを特徴とする、ロックの安全性を高める方法。
【発明の詳細な説明】
【技術分野】
【０００１】
本発明群は建設の分野に関連し、金庫、窓、扉、箪笥、棺などの製品のロックなどのハードウェアの製造に使用され、持ち運ばれる鍵束の重量と寸法を減らし、強盗に対するロックの強度を高め、不正な開錠を困難にし、特定の時間間隔における不正な開錠の可能性を減らす。本発明は、ＩＰＣ  Ｅ０５  Ｂ１９／１８（使用前に調整可能なキー）に属する。
【背景技術】
【０００２】
従来の技術から知られているロック２００は、アクセス制御装置の扉、窓などをロックするための装置である。ロック２００は、少なくとも次の２つの静的状態を有する。「開」というロックバー２０４がロックケース２０５に引き込まれる状態、および「閉」というロックバー２０４がロックケース２０５から出っ張る状態。ロック２００は、１つの静的状態から別の静的状態に移行する「作動ストローク」と呼ばれる少なくとも１つの動的状態を有する。ロック２００の作動ストロークは、適切なキー１００がロック２００に取り付けられた場合にのみ可能である。また、強盗、ロックピック、レンチ、バンプキーなどの器具によってロック２００の不正な開錠も可能である。ロック２００の不正な開錠に必要な時間により、その強度が決まる。
【０００３】
そのような不正な開錠に対するロック２００の強度は、ロック２００の品質およびその消費者価値を決める。
【０００４】
ロック２００の多くのバリエーションが先行技術から知られている。最も複雑なものは最新の電子装置を使用し、指紋、虹彩模様、および声によってロック２００の所有者を識別できるが、電源が必要で操作しにくいものである。
【０００５】
機械式ロック２００は、最も信頼性の高いロックとされ、ロックバー２０４が「開」位置から「閉」位置に、またはその逆に移行するためのエネルギーは、ロック２００を開く人の手から来る仕組みである。本発明は、機械式ロック２００に属するが、エネルギー源としても機能し、ロック２００の強度を高め、秘密コンビネーション数を増やすために使用することができる電子的および・または電気的および・または他の装置を含むロック２００内にも適用できる。    
【０００６】
ロック２００の最も一般的な種類は、レバータンブラー式、シリンダー式、ディスクタンブラー式である。この種類のロック２００に基づく装置は、当技術分野で長い間知られている。すべての既知のロック２００構成要素の分析に基づいて、ロック装置３００を形成する次の主要要素を区別できる。キー１００とロック２００。全てのキー１００ではなく、適切なキー１００のみがロック２００を開くことができる。適切なキー１００は、シークレット１０３がロックシークレット機構２０２と作用するとき、ロックシークレット機構２０２が作動するように作られたキー１００である。作動の結果として、ロック２００の設計に応じて、ロックシークレット機構２０２は、移動する能力を取得または失い、ロックバー駆動２０３は、移動および・またはこの動きをロックバー２０４に伝達することができる。適合するキー１００およびロック２００のみが一緒になってロック装置３００を構成する。
【０００７】
従来の技術から知られているキー１００は、とりわけ、以下の本質的な要素を含む。
・キー頭部１０１
・キーシャンク１０２（キーシークレット１０３とキー頭部１０１をキー１００という１つの器具に結合する）
・キーシークレット１０３
・グリップ１０４（キー１００の寸歩を縮小し、キー１００の保管と持ち運びの利便性を高める）
・キーカバー１０５（人の手とのキー１００の接触面積を増やす）
・ケース１０６（キー１００の保管および持ち運びのときにキー１００の一部を保持する）
従来の技術から知られているロック２００は、とりわけ、以下の本質的な要素を含む。
・キーシークレット送達溝２０１（たとえば、レバータンブラー式ロックの鍵穴、ディスクタンブラー式ロックの鍵穴、またはシリンダー機構の成形溝）、キーシークレット１０３をロックシークレット機構２０２に送達する
・ロックシークレット機構２０２（たとえば、レバータンブラー式ロックのレバー、ディスクタンブラー式ロックのディスク、またはシリンダーロックのピンのセット）、キーシークレット送達溝２０１を介してキー１０３の適切なシークレットがシークレット機構２０２に送達された後に作動される（動く能力を取得するか、動く能力を失う）
・ロックバー駆動２０３（キー１００の任意の要素またはキー１００の任意の要素から動きを受け取ったロックの他の部分によって動き出され、キーシークレット１０３によってロックシークレット機構２０２を作動させた後、ロックバー２０４を動かすロックの一部である）
・ロックバー２０４（通常、閉錠時にロックバー駆動２０３の作用により、ロックケース２０５から押し出され、ドアが開くのを防ぎ、開錠時にロックケース２０５に入り、ドアが開くのを妨げない）
・ロックケース２０５（上記のロックの要素を含み、ロック装置３００の要素の必要な相対位置を確保する）
【０００８】
ロック装置３００の主要部分の目的を具体的に説明する。
【０００９】
キー１００は、ロック２００とは別々、通常、人のポケットまたは財布に保管され、ロック２００の作動ストロークを行う必要がある場合、すなわち、ロック２００の静的状態を「開」から「閉」に、および・またはその逆に変更する必要がある場合に使用される。キー頭部１０１は、ロックケース２０５に挿入されず、キーシークレット送達溝２０１に挿入されず、ロックの開閉中に人の手の指と接触されるままキーの一部である。人はロックを開閉するとき、キー頭部１０１を手（指）で握り、キー頭部は人の手の指から回転および・または並進運動を受け、その力をシャンク１０２に伝達する。キー頭部１０１の目的および形状（寸法）は人間工学的な要因、人の指の大きさ、キーシークレット送達溝２０１に取り付ける前にキー１００自体を配置する必要性、人がロックバー２０４を動かすのに必要な力を加える可能性につながる。
【００１０】
シャンク１０２は、以下の機能を持つキーの一部である。
・キー頭部１０１とキーシークレット１０３（または複数のキーシークレット１０３）を、キー１００と呼ばれる単一の構造に結合する機能
・通常、ロックシークレット機構２０２はロックケース２０５の奥に配置され、ロック２００の不正な開錠を困難にし、キーシークレット送達溝２０１を介してシークレット機構２０２にキーシークレット１０３を送達するために、キー頭部１０１からキーシークレット１０３への回転および・または並進運動を伝達する機能
・シークレット機構２０２を作動させるために、キー頭部１０１からキーシークレット１０３へ回転および・または並進運動を伝達する機能
・ロック駆動２０３の回転および・または並進運動させるために、直接またはロック２００の他の要素を介して、キー頭部１０１からロックバー駆動２０３へ回転および・または並進運動を伝達する機能
・シャンク１０２の長さを長くし、特別な複雑な形状を与えることにより、ロックシークレット機構２０２へのアクセスを困難にする機能
・キーシャンク１０２上に複数のシークレット１０３を配置する（したがって、対応する数のロックシークレット機構２０２がロック２００内に配置される）ことにより、ロック２００の不正な開錠を困難にする機能
【００１１】
多くの場合、シャンク１０２の複数の機能が同時に組み合わされる。たとえば、シリンダー式機構では、キーシークレット１０２をロックシークレット機構２０２に送達するために、キーシークレット送達溝２０１にキー１００を挿入することは、さらに２つの機能を同時に実行する。それはロックシークレット機構２０２を作動させ、ロックシークレット機構２０２をロックバー駆動２０３と接続する機能である。１つの動きで複数の機能を実行できる組み合わせは、人によるロックの使用を簡素化し、そのようなロック機構３００の消費者価値を高める。
【００１２】
また、連続的な機能の組み合わせのもう１つの例としては、レバータンブラー式ロックのシャンク１０２を取り上げられる。シャンク１０２は、回転力をキーシークレット１０３に伝達し、まずはロックシークレット機構２０２を作動させるために（レバーを必要な高さまで上げるために）必要な位置に設置し、次にシャンク１０２をさらに回転させると、キーシークレット１０３がロックバー駆動２０３を移動させる。
【００１３】
また、複数の機能を実行する別の例は、シリンダー式ロックにおいてのシャンク１０２の回転運動を取り上げられる。その回転運動の回転力は、キーシークレット送達溝２０１に受けられ、ロックシークレット機構２０２の一部（シリンダーに）に回転運動を伝達し、後者は（キーシークレット１０３のすべての要素がロックシークレット２０２のピンと一致する場合）、回転運動を受け、キー頭部１０１から回転運動が伝達されることにより、ロックバー駆動２０３（シリンダー式ロックのボルト）を作動させる。
【００１４】
キーシークレット１０３は、ロック装置３００の主な機能（適切なキー１００でのみロック２００を開く機能）を決め、ロックシークレット機構２０２に送達されると、ロックシークレット機構２０２を作動させる（キー頭部１０１からシャンク１０２および・またはキーシークレット１０３を介して回転および・または並進運動をロックバー駆動２０３に伝達することを可能にする）凸凹、面取り、曲線、平坦、立体および他の幾何学的図形を含む。１つのキー１００は、複数のキーシークレット１０３を含み得、一方、ロック２００は、複数のロックシークレット機構２０２を含み得る。
【００１５】
・ロックバー駆動２０３とは、ロックシークレット機構２０２によっていずれかの位置（「開」または「閉」）にブロックされる装置である。ロックシークレット機構２０２が作動された場合（適切なキーシークレット１０３がキーシークレット送達溝２０１を介してロックシークレット機構２０２に送達された場合）、ロックバー駆動２０３は、人の手からキー頭部１０１、必要に応じてシャンク１０２、そしてキーシークレット１０３を介して運動を受けるロック２００の要素に伝達される力の作用下で回転および・または並進運動できる。たとえば、レバータンブラー式ロックでは、キー頭部１０１からロックバー駆動２０４に動きを伝達するためには、シャンク１０２およびキーシークレット１０３が使用され、シリンダー式ロックでは、キー頭部１０１からシャンク１０２を介して伝達される力は、キーシークレット送達溝２０１の壁によって受けられる。
【００１６】
・キーシークレット送達溝２０１とは、キーシークレット１０３をロックシークレット機構２０２に送達する装置である。一般的、キーシークレット送達溝２０１は、ロック２００の不正な開錠を困難にする要素を含み、ロックシークレット機構２０２へのアクセスを困難にし、ロック２００をロックピック、レンチ、バンプキーなどの器具で開錠される可能性を減らす。
【００１７】
シリンダー式ロックでは、ロックシークレット機構２０２の役割は、ピンという１つの穴に同軸で取り付けられた異なる長さのバネ仕掛けのシリンダーペアが果たし、キーシークレット１０３の役割はキー１００の凸凹が果たす。ロックシークレット機構２０２は、適切なロックシークレット１０３がキーシークレット送達溝２０１を介してロックシークレット機構２０２に送達されたときに作動される。キー１００がロック２００に適合する場合、それらは１つのロック装置３００の部分である。シリンダー式ロックに適切なキー１００を使用する場合、すべてのピンのシリンダーペアの接続部分が整列し、作動されたロックシークレット機構２０２は、キー頭部１０１（人の指が握る送達溝２０１に入らないキーの部分）からロックバー駆動２０３への力の伝達を可能にする。このタイプのロックにおいて、ロックシークレット機構２０２のキーシークレット送達溝２０１は、キーシークレット１０３を備えたシャンク１０２が挿入される成形スロットである。キーシークレット送達溝２０１に対応するキーシークレット１０３を正しく設置すると、ロックシークレット機構２０２が作動される。
【００１８】
また、シークレット機構２０２を作動させた後、ロック２００を１つの位置から別の位置に移動させるために、キー頭部１０１ではなく、別の制御要素を動かす、例えば、ロックノブ２０９を回す必要があるロック２００も知られている。この操作は、一般的にキー１００を回すことによってロックシークレット機構２０２が作動された後に行われる。次に、キー１００は、キーシークレット送達溝２０１（鍵穴）から取り出され得る。その後のロックノブ２０９の回転は、ロック２００を１つの静的状態から別の静的状態に移し、ロック２００の作動ストロークが終了される。このようなロック２００では、ロック２００の作動ストロークは、キー１００がキーシークレット送達溝２０１（鍵穴）から取り出された後、一定の時間間隔後に終了される。
【００１９】
キーシークレット機構２００を作動させる前に、例えば、鍵穴の保護カバーを取り外すために、キー１００をキーシークレット送達溝２０１（鍵穴）に挿入する前に、例えば、ロックノブ２０９を回す必要があるロック２００も知られている。このようなロック２００では、ロック２００の作動ストロークは、キー１００がキーシークレット送達溝２０１（鍵穴）に設置される前の一定の時間間隔に開始する。
【００２０】
ロック装置３００における上記の要素の動作を順番に説明する。ロック装置３００は、「開」と「閉」静的状態および「開」と「閉」作動ストロークを有する。「開」位置では、ロックバー２０４がロックケース２０５の中に入れられ、および・またはドアフレームに接続されず、ドアの開きを妨げない。「閉」位置では、ロックバー２０４がロックケース２０５から出て、および・または直接および・または必要な装置を介してドアフレームに接続され、ドアの開きを防ぐ。ロック２００の状態を変更するには、ロック２００の静的状態を「開」から「閉」に、またはその逆に変更する特定の一連の操作を行うことにより、作動ストロークを実行する必要がある。
【００２１】
ロック２００の作動ストロークを実行するために必要な操作順番は、ロック２００の設計によるため、以下、簡潔にするために、ロック２００を１つの静的状態から別の静的状態に移すために必要なすべての操作を実行することを意味する「作動ストローク中」という用語を使用する。
【００２２】
これらは、「作動ストローク中に実行（設置、分離、接続など）される」または「作動ストローク中に実行（設置、分離、接続など）する」と記載される操作、および・または作動ストロークの準備過程で、および・または作動ストローク自体の実行中、および・または作動ストロークの任意の部分の間、および・またはこの作動ストロークの実行後に行われる操作を含む。
【００２３】
本発明において、ロック２００の作動ストロークの開始としては、（もしあれば）キー１００をキーシークレット送達溝２０１に設置する前の操作を含む、ロック２００の静的状態を変更するために必要な最初の操作の開始とされる。ロック２００の作動ストロークの終了としては、（もしあれば）キー１００をキーシークレット送達溝２０１から取り出す後の操作を含む、ロック２００の静的状態を変更するために必要な最後の操作の終了とされる。
【００２４】
作動ストロークの開始から作動ストロークの終了までの期間に実行されるすべての操作（キー１００およびロック２００で実行されるすべての操作、ならびにキー１００およびロック２００の要素によって実行されるすべての操作）は、特許請求される本発明の説明において、ロック２００「作動ストローク中」に実行される操作と見なされる。
【００２５】
ロック２００の作動ストロークを実行するために、ロックシークレット機構２０２を作動させる必要がある。そのために、キーシークレット送達溝２０１にキーシークレット１０３を差し込む。キーシークレット１０３がロックシークレット機構２０２と一致する場合、ロックシークレット機構２０２が作動される。作動された後、ロックシークレット機構２０２は、ロックバー駆動２０３をロック解除する。次に、ロックの作動ストロークが実行され、その間に、ロックバー２０４は、１つの静止位置から別の静止位置に移動される。この作動は、人の手からキー頭部１０１、シャンク１０２、および・またはキーシークレット１０３を介してロックバー駆動２０３に力を伝達することによって実行される。キーシークレット１０３がロック２０２のシークレット機構に適合しない場合、ロックバー駆動２０３はロックのシークレット機構２０２によってブロックされる。その際、ロックバー２０４を「開」位置から「閉」位置に移動させること（「開」または「閉」作動ストロークを実行すること）およびその逆は不可能である。
【００２６】
一般的には、各人は複数のキー（自宅、職場、車、郵便受けなどの）を持っている。そのようなキーの主な欠点は、ロックシークレット１０３の寸法と質量に対するキー頭部１０１とシャンク１０２の質量と寸法である。
【００２７】
キー１００の金属の質量、重量および寸法の大部分は、頭部１０１およびシャンク１０２に集中し、キーシークレット１０３の寸歩は、一般的にキー１００の他の部分の寸法の１０分の１〜２０分の１である。
【００２８】
キー１００の寸歩と重量を減らすには、多くの方法が知られている。その中には、複数のロック２００に対して１つのキー１００を使用できるマスターキーシステムのキー１００が従来の技術で知られている。しかしながら、そのような解決策は、自宅と職場と車も同じシークレット２０２で作られたロック２００のセットの使用を必要とし、実用的な観点から不便である。
【００２９】
先行技術から、物理的なキー１００が全く要らないコンビネーションロック２００の使用が知られており、そのシークレット１０３としては、キーボード、ディスク、レバーでロック２００に入力される番号（数字、文字、記号、印、漢字の組み合わせ）が使用され、キー１００の他のすべての要素はロック２００内に配置する。この解決策は、キー１００を持ち運ばないという利点がある。ただし、この方法には、キーシークレット１０３（番号）が同僚や知人に知られることに関連する重大な欠点があり、このロックの主な役割という不正な開錠に対する保護が保証できなくなる。
【００３０】
先行技術から、軽量材料からキー１００を作製する方法も知られている。この方法の欠点は、キー１００の急速な摩耗と、キー１００の大きい寸法の維持である。  
【００３１】
先行技術から、ノブロック２００が知られており、多くの場合、内部ドアに取り付けられる。その特徴としては、ロックシークレット機構２０２のロックを解除するためだけに必要である小さな力を伝達するように設計された小型頭部１０１、小断面のシャンク１０２を備えたキー１００が提案され、ロックバー駆動２０３への力の伝達は、キー頭部１０１の代わりにロックノブ２０９によって実行される。
【００３２】
このノブロックでは、最初に、シャンク１０２およびキーシークレット１０３に接続されたキー頭部１０１を平行移動させることにより、キーシークレット送達溝２０１を介してキーシークレット１０３をロックシークレット機構２０２に送達する必要がある。この操作は、ロックシークレット機構２０２を作動させる。キー頭部１０１およびそれに接続されたシャンク１０２の回転運動により、キーシークレット送達溝２０１に影響を与え、キーシークレット送達溝２０１を含むシリンダーを回転させ、ロックバー駆動２０３を解除する必要がある。
【００３３】
これらの動作を実行した後、ロックノブ２０９を回すことにより、動きをロックバー駆動２０３に伝達し、ロックバー２０４を動かすことができる。    
【００３４】
このノブロック２００は、キー１００の寸法および重量を大幅に減らすことができるが、そのようなノブロック２００の強制的な開錠を容易にする。侵入者は、キー頭部１０１の１つの機能を持つ大きい寸法を有するロックノブ２０９に圧力する、いわゆる人の手からロックバー駆動２０３に動きを伝達することによってロックシークレット機構２０２に対する力を適用する能力を持つためである。そのようなノブロック２００の強制的な開錠に対する低い強度は、それらの使用を制限する。
【００３５】
本発明の類似物としては、キー頭部１０１の様々な機能がキー頭部１０１およびロック２００のノブ２０９により交互に実行される発明第２２２９５７５号を取り上げられる。本発明において、シャンク１０２、キー頭部１０１およびキーシークレット１０３は、ブラケットの部分として作製され、頭部１０１は、キー１００をキーシークレット送達溝２０１に挿入する機能のみを実行する。この頭部１０１は、人がキー１００をキーシークレット送達溝２０１に取り付けるときに、キー１００を保持するために使用される。頭部１０１とシャンク１０２の残りの機能は、追加の制御要素（ロック２００のノブ２０９）によって実行される。ロックノブ２０９を回転および・または移動することにより、人はロック機構２００を作動させ、キー１００をキーシークレット送達溝２０１に沿ってロックシークレット機構２０２へ移動させ、次に適切なキーが取り付けられた場合、ロック２００の作動ストロークが実施される。
【００３６】
この類似物では、ロックシークレット１０３は、それに接続された頭部１０１によってキーシークレット送達溝２０１に人の手で設置され、次に、ロック２００のノブ２０９が押されたとき、すなわち、この瞬間に頭部１０１およびシャンク１０２の役割を実行するロックノブ２０９の並進運動により、ロックシークレット機構２０２に送達される。ロックバー駆動２０３への力は、ロックノブ２０９の回転運動中に伝達される。
【００３７】
ただし、この類似物には重大な欠点がある。キーシークレット１０３は、ロックノブ２０９の下部に位置するロックシークレット送達溝２０１に取り付けられ、人の指でそこから取り出す際、人間工学的な形状ではない頭部１０１を指先で保持する必要がある。この操作は、腰椎レベルで実行されなければならないため、キーシークレット１０３の大きい寸法とその珍しい形を決め、目で制御できない不便な作業である。
【００３８】
キー１００をロックシークレット送達溝２０１に取り付けられた後、いくつかの操作を特定の順番で実行する必要があるが、複雑であるために人には明らかではない。このようなキー１００は、最も一般的なタイプのロック２００では使用できないため、本発明の広範な採用を妨げる。
【００３９】
この類似物には、本発明郡と共通の特徴がある。ロックシークレット送達溝２０１は、ロック２００の静的状態で外部からアクセス可能であり、ロック２００の作動ストローク中にキー１００全体とともに、外部空間から分離される。しかしながら、ロック２００の静的状態中、ロックシークレット機構２０２  が外部から侵入者にアクセス可能であり、ロックの強度を低下させるため、このロック２００には重大な欠点がある。
【００４０】
本発明の類似物は、出願第２０１５１１７９３３号によるキー１００である。このキー１００は、キーに固定された軸に対して移動できる、移動時にロックのシークレット機構に作用する可動要素を有し、ロックピックでの開錠に対するロックの強度を増加させるが、この類似物には欠点がある。キー１００は、部分に分割できない単一の全体として作られ、キー１００は、キー１００とともに移動し、キー１００の範囲内で追加の動きをし、キー１００から取り外せない可動部分を備える。このようなキー１００の複雑さと可動部分の小寸歩は、キー１００の作製複雑さとコストを増加させる。この類似物は、侵入者がロックシークレット機構２０２にアクセスすることを困難にするが、その可能性を防止できるものではない。
【００４１】
プロトタイプとして提案される発明第２１３２４３８号において、キー１００には、シャンク１０２の中央でシャンク１０２に取り付けられたグリップ１０４が追加され、キー１００が２つのほぼ等しい部分に分割され、長い金庫キー１００の持ち運びと保管が容易になる。ただし、この解決策には欠点がある。このようなキー１００は、ロック２００内ではなく、ロック２００の作動ストローク中ではなく、ロック２００の外側で使用される前に組み立ておよび分解される。キー１００の組み立ておよび分解の操作は、装置ではなく人によって行われる。このようなキー１００の組み立ておよび分解は時間がかかり、シャンク１０２の複雑な形状のため、この操作は視覚的制御および良好な照明を必要とし、手だけで実行することが困難であり、そのような発明を使用することは困難である。このようなキー１００は、最も一般的なタイプのロック２００では使用できず、その適用範囲も狭くなる。
【００４２】
このプロトタイプは、キー１００を部分に分割する機能を実行するグリップ１０４を備えるため、本発明郡の本質的な機能の組み合わせに最も近い機能の組み合わせを持つ。キー１００の１つの部分は、頭部１０１、シャンク１０２の半分、グリップ１０４の半分を含み、キー１００のもう１つの部分は、グリップ１０４の半分、シャンク１０２の半分、およびキーシークレット１０３を含む。
【００４３】
請求される本発明郡では、プロトタイプの既知の機能に、実際に容易に実施され、工業的に適用可能であるが、以前は知られていない、従来の技術から明らかではない、発明の特徴を有する、新しい機能が追加される。ロック２００の作動ストローク中にキー１００を部分に分割できるグリップ１０４をキー１００における使用する機能である。
【００４４】
請求される発明群の実施または使用において解決策が提供され、類似物およびプロトタイプ発明の実施または使用において解決することができなかった主な技術的問題は、以下のとおりである。
【００４５】
・以下の以前は知られていない発明の特徴を使用して、プロトタイプから既知のキー１００を部分に分割し、使用前に１つの全体に組み立てることにより、キー１００の束の寸歩と重量を削減すること
・交換できるシークレット１０３の使用
・グリップ１０４の標準化
・シークレット１０３の標準化
・１つのグリップに複数のキーシークレット１０３を取り付けること
・以下の本発明の以前は知られていなかった特徴を使用して、類似物から知られているコンビネーションピック、振動ピック、バンプキーなどの器具を使って、キーシークレット送達溝２０１を介してロックシークレット機構２０２にアクセスを困難させることにより、ロック装置３００の強度を高める。
【００４６】
・キー１００における、ロック２００の作動ストローク中にキー１００を部分に分割できるグリップ１０４の使用
・ロック２００の作動ストローク中にキー１００の部分分割
・キーシークレット１０３  から頭部１０１によって離れた人の手から受け取った動きを、ロック２００の作動ストロークを行うために使用すること
・キーシークレット送達溝２０１を部分に分割すること
・キーシークレット送達溝に溝障壁２０７を設置すること
・キーシークレット送達機構２１２がロックシークレット機構２０２に接続する位置以外の位置で、キーシークレット送達溝２０１をキーシークレット送達機構２１２に接続すること
・キー１００をその部分から接続し、キー１００を部分に分割する機能を実行するドッキング機構２０６の適用
・溝分割機構２０８の適用
・キーシークレット送達機構２１２の適用
・溝ブロック機構２１５の適用
・侵入者がキー頭部１０１に、およびキー頭部１０１を介して不適切なキーシークレット１０３でロックシークレット機構２０２に作用するときに、ロックシークレット機構２０２からフィードバックを受け取る可能性を防止することによって、以下の以前は知られていなかった発明の特徴を使用して、ロック装置３００の強度を高める。
・キー１００における、ロック２００の作動ストローク中にキー１００を部分に分割できるグリップ１０４の使用
・ロック２００の作動ストローク中にキー１００の部分分割
・キーシークレット１０３  から頭部１０１によって離れた人の手から受け取った動きを、ロック２００の作動ストロークを行うために使用すること
・分割されたキー１００の部分の間にキーブロック２１０の配置
・頭部１０１から分割されたキーシークレット１０３のロックシークレット機構２０２との相互作用
・キーブロック機構２１１の適用
・シャトルの原則に基づいて実装された、キーシークレット送達機構２１２の適用
この技術的問題の解決および、本発明の類似物およびプロトタイプにおいて、本発明によって提供される技術的結果を達成できなかった理由は、以下のとおりである。
【００４７】
・ロックシークレット機構２０２への外部からのアクセス可能性
・キーシークレット送達溝２０１へのアクセス可能性
・分割不可能なキー１００
特許請求される本発明の結果は、以下の要件を満たす特性を持つものの作成である。
【００４８】
・ロックシークレット機構２０２に外部から常にアクセスできないこと
・作動ストローク中にキーシークレット配送溝２０１にアクセスできないこと
【発明の概要】
【００４９】
特許請求される本発明の目的は、玄関、アパート、職場のオフィスなどのドアに設置されたロック２００からの多数のキー１００、すなわち、人が持ち運ぶキー１００の束の寸歩および重量を減らし、侵入者がこのロック２００をロックピック、レンチ、バンピングなどの方法を使用して開錠することに対する強度を高めることである。
【００５０】
特許請求される本発明の技術的結果は、重量および寸法を低減し、人が持ち運ぶキー１００の金属消費を低減し、キーシークレット送達溝２０１を介してロックシークレット機構２０２へのアクセスを防止し、ロック２００の強度を高めることにある。
【００５１】
特許請求される本発明は、グリップ１０４を使用して、異なるロックシークレット機構２０２を有する異なるロック２００に適した異なるキーシークレット１０３を１つのロック１００に取り付けることを可能にするため、類似物およびプロトタイプの欠点を解決し、さまざまなロック２００からの複数の頭部１０１、シャンク１０２、キーシークレット１０３を備えた複数の寸法大きくて重いキー１００の代わりに、頭部１０１、シャンク１０２、グリップ１０４を備えた１つのキー１００、およびキーシークレット１０３を、キーの束で保管および持ち運びを可能にする。本発明の追加の重要な利点は、ロック２００の作動ストローク中にキー１００を分割する可能性である。これは、ロック装置３００の強度を高め、ロック２００のシークレット機構２０２への不正アクセスを困難にする。
【００５２】
本発明のグリップ１０４は、特許請求の時点に任意の既知または未知、キー１００の２つの異なる要素を分割および接続することを可能にする方法、例えば、磁石または複数に磁石および磁性材料、幾何学的形状（溝および突起、円錐および先細りの穴、円筒形のピンおよび対応する穴）、ばね、フック、接着性物質・複数の物質、毛細管表面張力、摩擦力、電磁引力・反発力、静電引力・反発力、塑性変形、弾性変形、弾性要素、熱膨張性装置、およびこれらの既知および未知の方法の任意の組み合わせにより作製される可能である。そのようなグリップ１０４を配置する方法の１つは、キーシークレット１０３とキー１００のシャンク１０２との接合場所にグリップ１０４を配置することであり、これにより、金属消費、重量を減らす点では最も経済的なキーを分割する方法である。グリップ１０４を配置する別の方法は、キーシャンク１０２内に配置することであり得、この場合に新たに導入されるロック２００の要素（ドッキング機構２０６）によってキー１００の一部（キーシークレット１０３およびキーシャンク１０２の一部）を取り付けるために必要なスペースを残す。
【００５３】
各キー１００の特徴はそのシークレット１０３のみであるため、新しい要素、いわゆるキーシャンク１０２および・またはキー頭部１０１に複数のキーシークレット１０３を取り付けることを可能にする、グリップ１０４を備えたキーシャンク１０２および・またはキー頭部１０１を作ることによって、さまざまなキーシークレット１０３を設定し、１つのキーで複数のロックを開くことができる（頭部１０１、および・またはシャンク１０２とグリップ１０４を含む）１つのキー１００を持つことが可能である。本発明はまた、キーシークレット１０３を盗賊が届きにくい場所にあるロックシークレット機構２０２にロックケース２０５の奥に送達させ、必要に応じて、ロックのシークレット１０３がシャンク１０４から取り外すことができるため、ロックの信頼性を改善することができる。そのようなグリップは、接続および・または分割が人だけでなく、ロック２００のドッキング機構２０６によっても行われる。ドッキング機構２０６は、様々な既知の方法で実施されることができる。
【００５４】
たとえば、（この場合はグリップ１０４になる）磁石を使用して、キー１００の他の部分に取り付けられる、キー１００の他の要素、またはキー１００の他の要素の部分とキーシークレット１０３（たとえば、シャンク１０２の小さい方の部分とシークレット１０３を含むキー１００の部分）を含むキー１００の部分は、回転または並進運動のドッキング機構に作られた溝によって取り付けられる。ドッキング機構２０６の機械的移動力は、磁石（グリップ１０４）の引力を超え、キーシークレット１０３およびキー１００の他の要素がキーシークレット送達溝２０１を介してロックシークレット機構２０２へ移動されることができ、キー１００の他の要素および要素の部分（例えば、頭部１０１およびシャンク１０２の大部分）は静止したままであるか、キーシークレット１０３とは別に移動する。
【００５５】
このような移動中にキーシークレット送達溝２０１は、ドッキング機構２０６が移動するとき、またはロックの他の要素またはそれらの組み合わせ（シークレット機構２０２、ロックバー駆動２０３、ロックバー２０４、ロックケース２０５など）が移動するとき、切断されることができるため、侵入者による開錠が困難にする。  
【００５６】
キーシークレット送達溝２０１は、溝障壁２０７（リンク、セクター、サークルなど）によって、ロックシークレット機構２０２の全体または一部にアクセスできない（良心的な人にも侵入者にも外部から利用可能な）キーシークレット外側送達溝２０１−１と、ロックシークレット機構２０２の全部または残りの一部にアクセスできるが、キー１００が取り付けられているとき、またはキー１００が取り外されているとき、外部から誰にも利用できない、キーシークレット内側送達溝２０１−２に分けられる。キーシークレット外側送達溝２０１−１からキーシークレット内側送達溝２０１−２へのキーシークレット１０３の移動は、ドッキング機構２０６およびシークレット機構２０２、溝分割機構２０８によって、またはこれらの機構のいずれかの組み合わせによって行われ得る。または、この操作は、本発明の出願を提出する時点での先行技術から既知または未知の別の機構によって実施されることができる。
【００５７】
このようなロック２００の操作は、人にとって単純で自然的である。キー１００は、頭部１０１によって握られ、キーシークレット送達溝２０１に挿入された後、頭部１０１が所望の方向に回転され始める。グリップ１０４はドッキング機構２０６によって切断され、キーシークレット送達溝２０１は溝障壁２０７によってキーシークレット外側送達溝２０１−１およびキーシークレット内側送達溝２０１−２に分割される。頭部１０１を備えたシャンク１０２の一部およびグリップ１０４の一部は、キーシークレット外側送達溝２０１−１に残され、頭部１０１を備えたシャンク１０２のこの部分およびグリップ１０４の一部は、キー１００の分割状態中に偶発的または意図的な取り出しからブロックされる。溝障壁２０７によってキーシークレット外側送達溝２０１−１から分割されたキーシークレット外側送達溝２０１−２に、グリップ１０４の対応部分、シャンク１０２の一部、およびキーシークレット１０３が投入され、ドッキング機構２０６によってキー１００の要素が接続されたキーシークレット１０３が取り付けられる。ドッキング機構２０６によってキー１００の要素が取り付けられたキーシークレット１０３を、キーシークレット送達溝２０１から分離され、ロックのドッキング機構２０６が特定の位置にのみ接続するように作製されたロックシークレット機構２０２へ移動させる。ドッキング機構２０６がロックシークレット機構２０２に接続されるこの位置は、ドッキング機構２０６がロックシークレット送達溝２０１に接続される位置とは異なる。ロックシークレット機構２０２が作動され、ロック２００を開錠する。逆の順番でロック２００を閉じる。
【００５８】
請求される本発明では、ロックの安全性を高めるための方法を請求する。この方法の特性を示すときは、次の手順を実行する必要がある。
１．方法の実施で行われる一連の操作を記載する。この場合、どの操作が厳密に必須であるか、どれが任意であるかを示すことが望ましい。複数の方法の手順が可能な場合は、すべてを示す必要がある。
２．方法の各操作、そのために使用される技術的手段、および実装の可能な条件（使用される物質、圧力、温度など）を詳細に説明する。
３．方法の実施例を少なくとも１つ挙げ、その実施の特定の条件（材料の特定の構成、モードなど）を示す。                  
４．既知の方法がある場合、以前に使用された同様の技術と比較し、この方法がどのような利点を持っているか、およびどのような技術的結果（技術的効果）が達成されるかを示す。
【００５９】
以下の第５項の本発明の実施では、請求される方法の実施に必要な操作の手順が示され、必須および任意の操作が示され、操作の順番のオプションが示され、請求される方法の各操作、それらの実施に使用される技術的手段が詳細に説明され、請求される方法の実施例、それらの利点、この方法の実装の結果として得られる技術的な結果が示される。
【００６０】
請求される本発明は、ロックの安全性を高めるための装置が請求される。装置の特性を示すときは、次の手順を実行する必要がある。
１．装置の構造、装置を構成するすべての重要なコンポーネント（要素）を記載する。どの要素が厳密に必須であるか、どれが任意であるかを示すことが望ましい。複数の設計オプションが可能な場合は、すべてを示す必要がある。
２．装置の各要素の特性と目的（設計、材料など）を説明する。
３．装置の要素が互いにどのように関連しているかを説明する。
４．各要素と装置全体がどのように機能するかを説明する。
５．請求される装置が、同様の既知の設計と比較して、どのような利点を持っているか、およびどのような技術的結果（技術的効果）が達成されるかを示す。
【図面の簡単な説明】
【００６１】
【図１】図１は、分割可能なキー１００、キー頭部１０１、キーシャンク１０２、交換可能なキーシークレット１０３、およびシャンク１０２に固定できる、例えば必要なクランプ力を持つ永久磁石で作られたグリップ１０４を示す。この場合、シークレット１０３は、グリップ１０４と切断および接続できる。グリップ１０４は、鋼製などのキーシークレット１０３と相互作用し、それを引き付けることにより、キーシークレット１０３を取り付け位置に保持する。キーシークレット１０３のグリップ１０４との接続および切断は、ロック２００の作動ストローク中に、ロック２００の外側およびロック２００の内側の両方で起こり得る。  グリップ１０４は、ロッド１０２に取り外しおよび取り付けができるような作製され得る。この場合、グリップ１０４は、切断されると、シークレット１０３とともに移動する。シャンク１０２およびグリップ１０４の接続および切断は、ロック２００の作動ストローク中に、ロック２００の外側および内側の両方で起こり得る。グリップ１０４は、シャンク１０２およびシークレット１０３の両方に接続および切断するように作製されることができる。この場合、グリップ１０４は、シャンク１０２およびシークレット１０３の両方から分割することができ、キー１００のこの部分のすべては、互いに独自で独立して動くことができる。キーシャンク１０２、グリップ１０４およびシークレット１０３の接続および切断はまた、ロック２００の作動ストローク中に、ロック２００の外側および内側の両方で起こり得る。
【図２】図２は、キー１００がキーシークレット配送溝２０１に取り付けられた静的状態のロック２００の断面を示す。ロックケース２０５、穴２１９、ストッパーカバー２２０、相互移動できないようにシャフト２１８に固定され外側同軸シリンダー２１６−１と内側同軸シリンダー２１６−２で構成されるタンデムシリンダー２１６を示す。外側同軸シリンダー２１６−１と内側同軸シリンダー２１６−２は、シャフト２１８が自由に回転する中央穴２１７−１を有する固定仕切り２１７によって分離される。図２に示されるように、静的位置では、外側同軸シリンダー２１６−１と内側同軸シリンダー２１６−２にあるキーシークレット外側送達溝２０１−１とキーシークレット内側送達溝２０１−２と一致し、一緒にキーシークレット送達溝２０１を形成する偏心形状の穴２１７−２を示す。グリップ１０４は、グリップ１０４のための空洞として機能する偏心形状の穴２１７−２に配置され、キーシークレット１０３は、キーシークレット内側送達溝２０１−２にあり、キーシャンクは、キーシークレット外側送達溝２０１−１に配置される。この静的位置にあるロックシークレット機構２００は、穴２１９の周囲の必要な角度数（例えば、１８０度）にずらされるため、キーシークレット送達溝２０１と接続しない。
【図３】図３は、外側同軸シリンダー２１６−１、シャフト２１８、および外側同軸シリンダー２１６−１に設けられたキーシークレット外側送達溝２０１−１を示す。外側同軸シリンダー２１６−１は、ロック２００が図２に示されるのと同じ静的状態で、ロック２００の外側から示される。キー１００、ケース２０５、およびストッパーカバー２２０は、概略的に示されない。
【図４】図４は、固定された仕切り２１７を示し、シャフト２１８のためのその中の穴２１７−１および偏心形状の穴２１７−２を示す。ロック２００の静的状態では、この偏心形状の穴２１７−２は、キーシークレット外側送達溝２０１−１をキーシークレット内側送達溝２０１−２と接続する。この偏心形状の穴２１７−２は、グリップ１０４の空洞としても機能する。固定された仕切り２１７は、ロック２００が図２に示されるのと同じ静的状態でロック２００の外側から示される。キー１００、ケース２０５、ストッパーカバー２２０、外側同軸シリンダー２１６−１およびシャフト２１８は概略的に示されない。
【図５】図５は、内側同軸シリンダー２１６−２、シャフト２１８、内側同軸シリンダー２１６−２内のキーシークレット内側送達溝２０１−２、およびキーシークレットにアクセスするように構成された空洞２１９を示す。内側同軸シリンダー２１６−２は、図２のロック２００と同じ静的状態でロック２００の外側から示される。キー１００、ケース２０５、ストッパーカバー２２０、外側同軸シリンダー２１６−１および固定仕切り２１７は、概略的に示されない。
【図６】図６は、内側同軸シリンダー２１６−２、シャフト２１８、キーシークレット内側送達溝２０１−２、キーシークレット１０３、およびロックシークレット機構２０２を示す。外側同軸シリンダー２１６−１は、キー１００の他の部分から分離されたキーシークレット１０３がシークレット機構２０２に送達される、作動状態の作動ストローク中で示される。ケース２０５、ストッパーカバー２２０、外側同軸シリンダー２１６−１、および固定仕切り２１７は、概略的に示されない。
【図７】図７は、シャフト２１８によって接続された外側同軸シリンダー２１６−１および内側同軸シリンダー２１６−２が、例えば、キー１００の頭部１０１の作用下で１８０度回転運動したときの、作動状態にある作動ストローク中のロック２００の断面図を示す。この回転運動の作用下で、回転するキーシークレット外側送達溝２０１−１とキーシークレット内側送達溝２０１−２、および固定仕切り２１７に作られた固定偏心形状の穴２１７−２との接合部で、剪断力がタンデムシリンダー２１６の直径に対して接線方向に発生する。この剪断力は、グリップ１０４のシャンク１０２およびロックシークレット１０３に対する磁気引力を超え、グリップ１０４をキーシークレット１０３およびシャンク１０２から分離する。この回転運動は、キーシークレット送達溝２０１に取り付けられたキー１００を３つの部分に分割する。頭部１０１とシャンク１０２は、キーシークレット外側送達溝２０１−１と一緒に１８０度回転し、グリップ１０４は、固定仕切り２１７の偏心形状の穴２１７−２に留まり、キーシークレット１０３はグリップ１０４から分離され、キーシークレット内側送達溝２０１−２と一緒に１８０度回転した。特許請求される本発明のこの実施形態における固定仕切り２１７とタンデムシリンダー２１６は、キー１００を３つの部分に分割し、キー１００の３つの部分を単一の全体に接続するドッキング機構２０６として機能する。特許請求される本発明のこの実施形態におけるロックシークレット機構２０２へのキーシークレット１０３の送達は、キーシークレット送達機構２１２として機能する内側同軸シリンダー２１６−２を回転させることによって行われる。キーシークレット外側送達溝２０１−１およびキーシークレット内側送達溝２０１−２は、本発明のこの実施形態における溝障壁２０７の機能を実行する、固定仕切り２１７によって分離される。タンデムシリンダー２１６は、固定仕切り２１７とともに、溝分割機構２０８の機能を実行する。請求される本発明のこの実施形態におけるキー１００の部分は、キーブロック２１０としても機能する固定仕切り２１７によって分離される。タンデムシリンダー２１６は、固定仕切り２１７とともに、キーブロック２１０の機構としても機能する。特許請求される本発明のこの実施形態におけるキーシークレット外側送達溝２０１−１およびキーシークレット内側送達溝２０１−２は、溝障壁２０７として機能する固定仕切り２１７によって分離される。タンデムシリンダー２１６は、固定仕切り２１７とともに、溝ブロック機構２１５として機能する。請求される本発明のこの実施形態におけるグリップ１０４は、キーシークレット１０３およびシャンク１０２の両方から分離され、固定仕切り２１７に作製され、グリップ１０４の空洞として機能する偏心形状の穴２１７−２に配置される。キーシークレット１０３はキーシークレット内側送達溝２０１−２に配置し、キーシャンクはキーシークレット外側送達溝２０１−１に配置する。ロック２００のこの位置にあるロックシークレット機構は、キーシークレット送達溝２０１に接続される。キーシークレット１０３は、ロックシークレット機構２０２に送達される。キーシークレット１０３がロックシークレット機構２０２と一致する場合、ロックシークレット機構２０２が作動し、さらに作動ストロークが実行される際、ロック２００は別の静的状態に移行する。
【発明を実施するための形態】
【００６２】
本項では、装置の設計、装置の各要素の特性と目的、操作に必要な構造要素の特性と構造要素を構成する材料、装置の要素の相互接続、請求される本発明の利点と技術的結果について詳しく説明する。
【００６３】
以下は、本発明のすべての本質的な特徴を示し、次に、請求される特徴が対応する（装置または方法）内容に応じて、各特徴が説明される。
【００６４】
本発明の第１の本質的な特徴は、ロック２００の動作ストローク中にキー１００を部分に分割する、これまで知られていなかった方法およびそれに対応する装置、いわゆるグリップ１０４を備えた分割可能なキー１００およびロック２００の動作ストローク中にキー１００を部分に分割するドッキング機構２０６を備えたロック２００である。
【００６５】
請求される方法を実施するときに行われる一連の行動は以下の通りである。キー１００は、既知の方法で頭部１０１によって握られ、既知の方法でキーシークレット送達溝２０１に挿入された後、既知の方法で頭部１０１が所望の方向に回転および・または移動される。グリップ１０４は請求の方法でドッキング機構２０６および・または同じ機能する他のロック機構によって請求の方法で切断され、キーシークレット送達溝２０１は、キーシークレット送達溝２０１の部分の相互移動および・または溝障壁２０７によってキーシークレット外側送達溝２０１−１およびキーシークレット内側送達溝２０１−２に請求の方法で分割される。頭部１０１を備えたシャンク１０２の一部およびグリップ１０４の一部は、請求の方法でキーシークレット外側送達溝２０１−１に残され、頭部１０１を備えたシャンク１０２のこの部分およびグリップ１０４の一部は、キー１００の分割状態中に偶発的または意図的な取り出しから請求の方法でブロックされる。移動および・または溝障壁２０７によってキーシークレット外側送達溝２０１−１から分割されたキーシークレット外側送達溝２０１−２に、グリップ１０４の対応部分、シャンク１０２の一部、およびキーシークレット１０３が請求の方法で投入され、ドッキング機構２０６および・または同じ機能する他のロック機構によってキー１００の要素が接続されたキーシークレット１０３が請求の方法で取り付けられる。請求される方法で、キー１００の要素が取り付けられたキーシークレット１０３は、キーシークレット送達機構２１２および・または別のロック機構によって、ロックシークレット機構２０２に移動される。請求される方法で、ロックシークレット機構２０２がキーシークレット送達溝２０１から分離されるように作られ、請求される方法で、キーシークレット１０３全体または一部を含み、特定の位置のみにあるロックのドッキング機構２０６および・または同じ機能する他のロック機構がロックシークレット機構２０２と接続される。ドッキング機構２０６がロックシークレット機構２０２に接続されるこの位置は、ドッキング機構２０６および・または同じ機能する他のロック機構がロックシークレット送達溝２０１に接続される位置と異なるように、請求される方法で作製される。ロックシークレット機構２０２が既知の方法で作動され、ロック２００を既知の方法で開錠する。逆の順番でロック２００を閉じる。
【００６６】
請求される方法の可能な操作の１つは、以下である。キー１００がキーシークレット送達溝２０１に取り付けられ、頭部１０１が所望の方向に移動および・または回転され、グリップ１０４がドッキング機構２０６によって切断され、キー１００から分離されたキーシークレット１０３がキーシークレット送達機構２１２によって取り付けられる。キーシークレット１０３は、キーシークレット送達機構２１２によってロックシークレット機構２０２に移動され、ロックシークレット機構２０２が作動され、ロック２００が開かれる。
【００６７】
請求される方法で厳密に必須の操作は、指定された順番で実行される以下の操作である。キー１００がキーシークレット送達溝２０１に取り付けられ、キー１００が部分に分割され、キーシークレット１０３を含むキー１００の部分がロックシークレット機構２０２へ送達される。  
【００６８】
本発明の第１の特徴による残りの操作は任意である。方法のいくつかの手順が可能であり、一連の操作の実行が時間内に組み合わされ、例えば、キーシークレット送達溝２０１にキー１００を取り付ける際、キー１００およびロック２００の特定の設計に応じて、キー１００の部分の分割と、キーシークレット１０３から分離されたシャンク１０２および頭部１０１の取り出しからのブロックの両方を同時に実行できる。
【００６９】
技術的手段のこれらの操作の実行に使用される方法の各操作の説明、およびこれらの操作を実行するための条件は、対応する装置の説明に記載される。
【００７０】
請求される方法の実施例は、グリップ１０４として機能する磁石を使用してシャンク１０２に取り付けられたキーシークレット１０３を備える、レバータンブラー式のキー１００であり得る。このキーシークレット１０３は、キー１００が、キーシークレット送達溝２０１に取り付けられ、ドッキング機構２０６として機能するくさび形の仕切りの作用下でキーシークレット送達溝２０１に挿入されるとき、グリップ１０４の磁気引力を超え、シャンク１０２から分割した後、ドッキング機構２０６のドラム溝に入る。ドッキング機構２０６のドラムの回転軸は、キーシャンクの回転軸に平行である。ドッキング機構２０６のドラムはシャンク１０２の一部で作られたギアの作用下で回転し、キーシークレット１０３はロックシークレット機構のドラムとともに移動し、外部から利用できないロックシークレット機構２０２に到達し、そこでキーシークレットはロックシークレット機構２０２と相互作用し、作動させてロック２００を開く。
【００７１】
この方法は、キーシークレット送達溝２０１を介してロックシークレット機構２０２の外部利用の可能性を完全に防止するため、以前に使用された同様の方法よりも有利である。本発明の請求される特徴の技術的結果は、ロックの強度を増加させることであり、これは、シークレット１０３が頭部１０１とは別個に移動できる、分割可能なキー１００を使用することによって達成される。
【００７２】
本発明の第２の本質的な特徴は、ロック２００の作動ストローク中にキーシークレット送達溝２０１を部分に分割する以前は知られていなかった方法である。
【００７３】
請求される方法の実装方法において実行される一連の操作は、以下の通りであり得る。キーシークレット送達溝２０１は、請求される方法によって、キーシークレット送達溝２０１の部分の相互移動を使用して、キーシークレット外側送達溝２０１−１およびキーシークレット内側送達溝２０１−２に分割される。頭部１０１を備えたシャンク１０２の一部およびグリップ１０４の一部は、請求される方法で、キーシークレット外側送達溝２０１−１に残され、グリップ１０４の対応部分、シャンク１０２の部分およびキーシークレット１０３は、キーシークレット内側送達溝２０１−２から移動および・または溝障壁２０７によって、請求される方法で、遮断されたキーシークレット外側送達溝２０１−１に配置される。
【００７４】
請求される方法では、以下の操作が厳密に必須である。キーシークレット送達溝２０１は、キー１００の部分を持つキーシークレット外側送達溝２０１−１と、キー１００の残りの部分を持つキーシークレット内側送達溝２０１−２に分割される。
【００７５】
本発明の第２の特徴に関連する他の操作は任意である。方法のいくつかの手順が可能であり、一連の操作の実行が時間内に組み合わされる。
【００７６】
請求される方法の実施例は、ドッキング機構２０６ドラムの溝であり得る。このドッキング機構２０６ドラムの回転軸は、キーシャンクの回転軸に平行であり、ドッキング機構ドラムは、シャンク１０２の一部で作られたギアの作用下で回転し、キーシークレット１０３は、グリップ１０４の分割線に沿って残りのキー要素から切断され、ロックシークレット機構２０１のドラムとともに移動し、外部から利用できないロックシークレット機構２０２に到達する。キーシークレット１０３内側送達溝は、ドッキング機構２０６のドラムの溝およびロックケース２０５の壁によって、請求される方法で形成される。
【００７７】
この方法は、キーシークレット送達溝２０１を介してロックシークレット機構２０２の外部利用の可能性を完全に防止するため、以前に使用された同様の方法よりも有利である。本発明の請求される特徴の技術的結果は、ロックの強度を増加させることであり、これは、分割されるキーシークレット送達溝２０１を使用することによって達成される。
【００７８】
本発明の第３の本質的な特徴は、ロック２００の作動ストローク中にキーシークレット送達溝２０１を部分に分割する溝障壁２０７を設置するこれまで知られていなかった方法である。
【００７９】
請求される方法の実施において実行される一連の操作は、以下のようになり得る。溝障壁２０７が、請求される方法によってキーシークレット送達溝２０１に設定される。それにより、キーシークレット送達溝２０１が、キーシークレット外側送達溝２０１−１とキーシークレット内側送達溝２０１−２に分割される。請求される方法により、キーシークレット１０３は、溝障壁２０７によってキーシークレット外側送達溝２０１−１から分離されたキーシークレット内側送達溝２０１−２に配置され、キーシークレット１０３は請求される方法によって取り付けられる。
【００８０】
請求される方法では、以下の操作が厳密に必須である。キーシークレット送達溝２０１をキー１００の部分を持つキーシークレット外側送達溝２０１−１とキー１００の残りの部分を持つキーシークレット内側送達溝２０１−２に分割する、溝障壁２０７が、請求される方法によって、キーシークレット送達溝２０１に設置される。
【００８１】
本発明の第３の特徴に関連する残りの操作は任意である。方法のいくつかの手順が可能であり、一連の操作の実行が時間内に組み合わされる。
【００８２】
技術的手段のこれらの操作の実行に使用される方法の各操作の説明、およびこれらの操作を実行するための条件は、対応する装置の説明に記載される。
【００８３】
請求される方法の実施例は、ビットの組み合わせの形態で作られたロックシークレット１０３を有し、頭部１０１から離れたシャンク１０２の端部に作製された、シークレット１０３の非作動側に接続されたテーパー穴１０３−１および同じテーパーのテーパーシャフト１０２−１からなるグリップ１０４を有するレバータンブラー式ロック２００のキー１００であり得る。そのようなキー１００がロック２００に取り付けられる際、キーシークレット１０３はドッキング機構２０６−１のスプリットブッシングのスロットに入る。スプリットブッシング２０６−１は、シャンク１０３のテーパーシャフトの回転軸と同軸に作られ、スプリットブッシング２０６−１の直径はキーシークレット１０３の非作動部分の長さよりも小さくされ、このスプリットブッシング２０６−１のスロットの幅と形状はキーシークレット１０３の非作動部分の幅と形状に沿って作られる。スプリットブッシング２０６−１へのキー１０３の挿入およびスプリットブッシング２０６−１からのキー１００の取り外しは、スプリットウォッシャー２０６−２の同じ幅および形状のスロットに制限される。スプリットワッシャー２０６−２は、スプリットウォッシャーの一端で堅固に固定され、キーシークレット送達溝２０１のブッシングにあるらせんスロットを通過する、半径方向に向けられたスプリットウォッシャーのスライディングピン２０６−８によって保持されるため、シャンク１０２のテーパーシャフト１０２−１の軸の周りを回転できない。このスプリットウォッシャーのスライディングピン２０６−８の他端は、ロックケース２０５の内面上に作られた縦方向のキー溝に配置される。スプリットワッシャー２０６−２は、ロックケース２０５のキー溝内のピン２０６−８の位置により、スプリットブッシング２０６−１とともにシャンク１０２のテーパーシャフト１０２−１の回転軸に沿って並進運動することができる。キーシークレット１０３をスプリットブッシング２０６−１に投入し、キー１００をスプリットブッシングから取り外すことは、スプリットウォッシャー２０６−２に対するスプリットブッシング２０６−１の１つの角度位置、つまり、グリップ１０４が閉じており、ロックシークレットのテーパーブッシング１０３−１がシャンクのテーパーシャフト１０２−１に取り付けられた位置でのみ可能である。ドッキング機構２０６のこの設計は、キー１００の個々の部分を取り出すことを不可能にし、完全に組み立てられたキー１００のみをロック２００から取り出すことを可能にする。
【００８４】
キーシークレット送達溝２０１は、スプリットブッシング２０６−１と同軸のブッシングの形態で作られ、スプリットブッシング２０６−１は、キーシークレット送達溝２０１ブッシングの穴に配置され、スプリットブッシング２０６−１は、キーシークレット送達溝２０１のブッシング内で並進運動できる。スプリットブッシング２０６−１は、キーシークレット送達溝２０１のブッシングとともに回転し、スライドキー２０６−４を介して受け取り、一方の端がスプリットブッシング２０６−１の外面のキー穴にしっかりと固定し、もう一方の端がキーシークレット送達溝２０１のブッシングの内面にあるキー溝をスライドする。
【００８５】
このキー２０６−４の作用により、スプリットブッシング２０６−１は回転運動を受け取り、縦方向に、スプリットブッシング２０６−１は、このスプリットブッシング２０６−１の回転軸２０６−３の外面に作られた固定の双方向らせんねじに沿って移動する。軸２０６−３の１つのねじ山は左方向に作られ、このねじのもう１つのねじ山は右方向に作られ、左右のねじ山は前部と後部で互いに接続され、双方向の空間らせんを形成する。スプリットブッシング２０６−１は、軸２０６−３を中心に任意の方向に回転する際、回転の前半が片側に移動し、回転の後半が反対側に移動する。スプリットブッシング２０６−３のこの動きは、クランク機構のピストンの動きに似ている。この類似性をさらに引き出すと、スプリットブッシング２０６−１の極端な位置を近死点および遠死点として指定することができる。近死点では、キーシークレット１０３がシャンク１０２に接続され、グリップ１０４が閉じられる。遠死点では、キーシークレット１０３がシークレット機構２０２に送達され、適切なキーの場合にこの機構を作動させる。
【００８６】
スプリットブッシング２０６−１の回転軸２０６−３は、一端がロック２００の内側からキーケース２０５にしっかりと取り付けられ、ロック２００の内側に配置する端面からスプリットブッシング２０６−１に入り、この端はキーシークレット送達溝２０１に面する端面の反対側に配置する。
【００８７】
キー頭部１０１が回転すると、それに接続されたシャンク１０２がその正方形部分でキーシークレット送達溝２０１を回転させ、後者はこの回転をスライドキー２０６−４でスプリットブッシング２０６−１に伝達し、スライディングピン２０６−８で回転から防止されるスプリットワッシャ２０６−２の非回転スロットは、スプリットブッシング２０６−１のスロットと重なるため、このオーバーラップにより、キーシークレット１０３がスプリットブッシング２０６−１から取り出されなくなる。キー頭部１０１および四角シャンク１０２がさらに回転すると、スプリットブッシング２０６−１は、四角穴のキーシークレット送達溝２０１から回転を受ける。
【００８８】
プリットブッシング２０６−１は回転運動と並進運動の両方を受け、後者はキー１００が挿入されるときにキーシャンク１０２から向けられるため、この並進運動は、ベアリングプーラーとして機能し、キーシークレット１０３をそれに取り付けられたテーパーブッシング１０３−１とともにテーパーシャンク１０２−１から取り外される。それによってキー頭部１０１の回転が、グリップ１０４を開いた状態にさせ、キーシークレット１０３をスプリットブッシング２０６−１とともに、スプリットブッシングの回転軸２０６−３のらせん状のねじ山に沿ってロック２００の奥深くまで移動させ、ロックシークレット１０３をキーシークレット機構２０２に送達する。
【００８９】
請求されるドッキング機構２０６の作用によるキーシークレット１０３は、グリップ１０４の作用によってシャンク１０２から分離される。これにより、溝分割機構２０８およびキーブロック機構２１１は、キーシークレット送達溝２０１を完全に遮断し、キーシークレット送達溝２０１を、溝障壁２０７によってキーシークレット外側送達溝２０１−１とキーシークレット内側送達溝２０１−２に分割することができ、およびキーブロック２１０によってキー１００の部分を分割することができる。ブラケット２０６−５は、時計仕掛けのラチェットまたはアンカーとして作成され、スプリットブッシング２０６−１の回転軸２０６−７に垂直なブラケット２０６−６の軸上で回転し、スプリットブッシング２０６−１の並進運動の作用下で、ブラケットの一部でキーシークレット１０３がシークレット機構２０１にアクセスするための通路を開き、それによってキーブロック２１０を取り外し、溝分割機構２０８の機能を実行する。もう１つの部分では、キーシークレット送達溝２０１およびシャンク１０２の側からキーシークレット１０３への通路を閉じることにより、キーブロック機構２１１の機能を実行しながら、溝障壁２０７を設置する。キーシークレット送達機構２１２は、スプリットブッシングの回転軸２０６−３、その軸の表面に位置する多方向ねじ山を備えた双方向ねじ、このねじ内をスライドするスライダー２１２−１が構成されている。スライダーの一端がスプリットブッシング２０３−１の内穴にしっかりと固定され、他端が軸２０６−３の双方向ねじに沿ってスライドし、ねじ山の交差点を通過するときに、スライダー２１２−１が交差ねじに切り替わらないように作製される。キー１００が回転するたびに、スプリットブッシング２０６−１をロック２００の奥深くに移動させ、戻させ、キーシークレット送達機構２１２は、外部から利用できないロックシークレット機構２０２にキーシークレット１０３を送達し、そこでキーシークレット１０３は、ロックシークレット機構２０２と相互作用し、それを作動させ、ロック２００を開く。適切なキーシークレット１０３が遠死点にあるときに作動されると、シークレット機構２０２は、ロックバー駆動２０３をキーシークレット送達溝２０１のブッシングと結合させ、それにより、ロック２００が作動ストロークを実行できるようにする。
【００９０】
請求される本発明の実施方法としては、駆動ブラケット２０６−５を取り上げられる。キー１００の頭部１０１からギアシステムによって駆動されるブラケット２０６−５は、並進運動をスプリットブッシング２０６−１に伝達することができるため、スプリットブッシング２０６−１の軸２０６−７に２方向のねじ山が不要になる。
【００９１】
この方法は、溝障壁２０７として機能する固定仕切りで切断されたキーシークレット送達溝２０１を介してロックシークレット機構２０２の外部利用の可能性を完全に防止するため、以前に使用された同様の方法と比較して利点がある。請求された本発明の特徴の技術的結果は、ロックの強度を増加させることであり、これは溝障壁２０７を使用することによって達成される。
【００９２】
本発明の第４の本質的な特徴は、キー１００の部分を分割した後に互いに分離するキーブロック２１０を設定する、以前は知られていなかった方法である。  
【００９３】
請求される方法の実施において実行される一連の操作は以下の通りである。頭部１０１、シャンク１０２、キーシークレット１０３およびグリップ１０４を含むキー１００は、請求される方法でキーシークレット送達溝２０１に配置され、キーブロック２１０がキーブロック機構２１１によりキー１００の分離された部分の間に設置される。
【００９４】
請求される方法では、以下の操作が厳密に必須である。ロック２００の作動ストローク中に、キー１００の部分の間にその部分を分離するキーブロック２１０が取り付けらる。
【００９５】
本発明の第４の特徴に関連する残りの操作は任意である。方法のいくつかの手順が可能であり、一連の操作の実行が時間内に組み合わされる。
【００９６】
請求される方法の実施例は、ビットの組み合わせの形態で作られたロックシークレット１０３を有し、頭部１０１から離れたシャンク１０２の端部に作製された、シークレット１０３の非作動側に接続されたテーパー穴１０３−１および同じテーパーのテーパーシャフト１０２−１からなるグリップ１０４を有するレバータンブラー式ロック２００のキー１００であり得る。そのようなキー１００がロック２００に取り付けられる際、キーシークレット１０３はドッキング機構２０６−１のスプリットブッシングのスロットに入る。スプリットブッシング２０６−１は、シャフト１０３のテーパーシャフトの回転軸と同軸に作られ、スプリットブッシング２０６−１の直径はキーシークレット１０３の非作動部分の長さよりも小さくされ、このスプリットブッシング２０６−１のスロットの幅と形状はキーシークレット１０３の非作動部分の幅と形状に沿って作られる。スプリットブッシング２０６−１へのキー１０３の挿入およびスプリットブッシング２０６−１からのキー１００の取り外しは、スプリットウォッシャー２０６−２の同じ幅および形状のスロットに制限される。スプリットワッシャー２０６−２は、スプリットウォッシャーの一端で堅固に固定され、キーシークレット送達溝２０１のブッシングにあるらせんスロットを通過する、半径方向に向けられたスプリットウォッシャーのスライディングピン２０６−８によって保持されるため、シャンク１０２のテーパーシャフト１０２−１の軸の周りを回転できない。このスプリットウォッシャーのスライディングピン２０６−８の他端は、ロックケース２０５の内面上に作られた縦方向のキー溝に配置される。スプリットワッシャー２０６−２は、ロックケース２０５のキー溝内のピン２０６−８の位置により、スプリットブッシング２０６−１とともにシャンク１０２のテーパーシャフト１０２−１の回転軸に沿って並進運動することができる。キーシークレット１０３をスプリットブッシング２０６−１に投入し、キー１００をスプリットブッシングから取り外すことは、スプリットウォッシャー２０６−２に対するスプリットブッシング２０６−１の１つの角度位置、つまり、グリップ１０４が閉じており、ロックシークレットのテーパーブッシング１０３−１がシャンクのテーパーシャフト１０２−１に取り付けられた位置でのみ可能である。ドッキング機構２０６のこの設計は、キー１００の個々の部分を取り出すことを不可能にし、完全に組み立てられたキー１００のみをロック２００から取り出すことを可能にする。
【００９７】
キーシークレット送達溝２０１は、スプリットブッシング２０６−１と同軸のブッシングの形態で作られ、スプリットブッシング２０６−１は、キーシークレット送達溝２０１ブッシングの穴に配置され、スプリットブッシング２０６−１は、キーシークレット送達溝２０１のブッシング内で並進運動できる。スプリットブッシング２０６−１は、キーシークレット送達溝２０１のブッシングとともに回転し、スライドキー２０６−４を介して受け取り、一方の端がスプリットブッシング２０６−１の外面のキー穴にしっかりと固定し、もう一方の端がキーシークレット送達溝２０１のブッシングの内面にあるキー溝をスライドする。  
【００９８】
このキー２０６−４の作用により、スプリットブッシング２０６−１は回転運動を受け取り、縦方向に、スプリットブッシング２０６−１は、このスプリットブッシング２０６−１の回転軸２０６−３の外面に作られた固定の双方向らせんねじに沿って移動する。軸２０６−３の１つのねじ山は左方向に作られ、このねじのもう１つのねじ山は右方向に作られ、左右のねじ山は前部と後部で互いに接続され、双方向の空間らせんを形成する。スプリットブッシング２０６−１は、軸２０６−３を中心に任意の方向に回転する際、回転の前半が片側に移動し、回転の後半が反対側に移動する。スプリットブッシング２０６−３のこの動きは、クランク機構のピストンの動きに似ている。この類似性をさらに引き出すと、スプリットブッシング２０６−１の極端な位置を近死点および遠死点として指定することができる。近死点では、キーシークレット１０３がシャンク１０２に接続され、グリップ１０４が閉じられる。遠死点では、キーシークレット１０３がシークレット機構２０２に送達され、適切なキーの場合にこの機構を作動させる。
【００９９】
スプリットブッシング２０６−１の回転軸２０６−３は、一端がロック２００の内側からキーケース２０５にしっかりと取り付けられ、ロック２００の内側に配置する端面からスプリットブッシング２０６−１に入り、この端はキーシークレット送達溝２０１に面する端面の反対側に配置する。
【０１００】
キー頭部１０１が回転すると、それに接続されたシャンク１０２がその正方形部分でキーシークレット送達溝２０１を回転させ、後者はこの回転をスライドキー２０６−４でスプリットブッシング２０６−１に伝達し、スライディングピン２０６−８で回転から防止されるスプリットワッシャ２０６−２の非回転スロットは、スプリットブッシング２０６−１のスロットと重なるため、このオーバーラップにより、キーシークレット１０３がスプリットブッシング２０６−１から取り出されなくなる。キー頭部１０１および四角シャンク１０２がさらに回転すると、スプリットブッシング２０６−１は、四角穴のキーシークレット送達溝２０１から回転を受ける。
【０１０１】
スプリットブッシング２０６−１は回転運動と並進運動の両方を受け、後者はキー１００が挿入されるときにキーシャンク１０２から向けられるため、この並進運動は、ベアリングプーラーとして機能し、キーシークレット１０３をそれに取り付けられたテーパーブッシング１０３−１とともにテーパーシャンク１０２−１から取り外される。それによってキー頭部１０１の回転が、グリップ１０４を開いた状態にさせ、キーシークレット１０３をスプリットブッシング２０６−１とともに、スプリットブッシングの回転軸２０６−３のらせん状のねじ山に沿ってロック２００の奥深くまで移動させ、ロックシークレット１０３をキーシークレット機構２０２に送達する。
【０１０２】
請求されるドッキング機構２０６の作用によるキーシークレット１０３は、グリップ１０４の作用によってシャンク１０２から分離される。これにより、溝分割機構２０８およびキーブロック機構２１１は、キーシークレット送達溝２０１を完全に遮断し、キーシークレット送達溝２０１を、溝障壁２０７によってキーシークレット外側送達溝２０１−１とキーシークレット内側送達溝２０１−２に分割することができ、およびキーブロック２１０によってキー１００の部分を分割することができる。ブラケット２０６−５は、時計仕掛けのラチェットまたはアンカーとして作成され、スプリットブッシング２０６−１の回転軸２０６−７に垂直なブラケット２０６−６の軸上で回転し、スプリットブッシング２０６−１の並進運動の作用下で、ブラケットの一部でキーシークレット１０３がシークレット機構２０１にアクセスするための通路を開き、それによってキーブロック２１０を取り外し、溝分割機構２０８の機能を実行する。もう１つの部分では、キーシークレット送達溝２０１およびシャンク１０２の側からキーシークレット１０３への通路を閉じることにより、キーブロック機構２１１の機能を実行しながら、溝障壁２０７を設置する。  
【０１０３】
この方法は、キーブロック２１０として機能する固定仕切りで切断されたキーシークレット送達溝２０１を介してロックシークレット機構２０２の外部利用の可能性を完全に防止するため、以前に使用された同様の方法と比較して利点がある。請求された本発明の特徴の技術的結果は、ロックの強度を増加させることであり、これはキーブロック２１０を使用することによって達成される。
【０１０４】
請求される機構の様々な実施方法が可能であり、例えば、グリップ１０４は、ロックシークレット１０３に含まれ、ロックシークレットのテーパー穴１０３−１の内面から出っ張り、テーパーシャフト１０２−１の表面に開けられた穴に落ちるバネ仕掛けのボールの形で作ることができる。ドッキング機構は２つの歯車の形で作ることができ、そのうちの１つはシャンク１０２上に作ることができ、もう１つの歯車はキーシークレット１０３の作動不能部分の形状のスロットを有し、ドッキング機構２０６はシャンク１０２に引っ張られたキーシークレット１０３を保持する磁石の形態で作製することができる。キーブロック機構２１１および溝分割機構２０８は、追加のギアによって駆動される可動シャッターおよびリンクの形態で作製することができる。  
【０１０５】
本発明の第５の本質的な特徴は、以前は知られていなかった装置であり、キー１００を部分に分離するドッキング機構２０６である。
【０１０６】
請求される装置の設計は、以下の必須要素からなる。頭部１０１、シャンク１０２、キーシークレット１０３、グリップ１０４によって部分に分割される機能のあるグリップ１０４からなるキー１００、キーシークレット送達溝２０１、キーシークレット機構２０２、ロックバー駆動２０３、ロックバー２０４、ロックケース２０５、ドッキング機構２０６、キーシークレット送達機構２１２からなるロック２００。他のキー要素（溝障壁２０７、溝分割機構２０８、ロックノブ２０９、キーブロック２１０、キーブロック機構２１１）は任意である。請求されるロックの設計に任意の要素を含めることで、請求される装置のさまざまな形を作成できる。
【０１０７】
グリップ１０４の目的は、キー１００を分割および・または組み立てることである。ドッキング機構２０６の目的は、キー１００をグリップ１０４によって部分に分割することである。キーシークレット送達機構２１２の目的は、他のキー１００部分から分離されたキーシークレット１０３を含むキー１００の一部をキーシークレット機構２０２へ送達することである。キー１００およびロック２００の他の要素の目的は、上記に記載された。
【０１０８】
ドッキング機構２０６は、キーシークレット１０３の形状および寸法を有する溝２０６−９１を備えたドラム２０６−９の形態で作製することができ、ドラム２０６−９は、キーシークレット送達溝２０１の軸に平行な回転軸を有することができる。静的位置において、溝２０６−９１はキーシークレット送達溝２０１に接続される。キーシークレット１０３とシャンク１０２との接続線に沿って配置されるグリップ１０４を有するキー１００は、キーシークレット１０３が溝２０６−９１に入る状態で、キーシークレット送達溝２０１内に並進運動によって設置される。キー１００の頭部１０１の回転運動は、キーシークレット送達溝２０１を動かし、ギアまたはベルトドライブなどの従来の技術から知られている装置を介して、ドッキング機構２０６のドラム２０６−９を回転させる。ドラム２０６−９の回転はグリップ１０４の磁石の引力を越え、シークレット１０３はグリップ１０４から分離され、ドラム２０６−９とともに回転される。ドラム２０６−９はバケツの形をしており、溝２０６−９１はバケツの壁に配置する。溝２０６−９１に取り付けられたキーシークレット１０３のビットは、ドラム２０６−９の壁からドラム２０６−９の内部にはみ出ており、回転すると、ドラム２０６−９の内側にあるロックシークレット機構２０２へ移動する。キーシークレット１０３とロックシークレット機構２０２とのさらなる相互作用は、既知の方法で起こる。
【０１０９】
ドラム２０６−９がさらに回転すると、キーシークレット１０３はキー１００のグリップ１０４に戻り、グリップ１０４の磁石はキーシークレット１０３を引き付け、シークレット１０３はシャンク１０２に接続し、キー１００は組み立てられた形態でキーシークレット送達溝２０１から取り出される。
【０１１０】
請求される装置のキーシークレット１０３は磁性材料で作製される必要があり、グリップ１０４の磁石は、キー１００を運ぶときにキーシークレット１０３がシャンク１０２から自発的に分離しないように、十分な磁気強度を有しなければならない。グリップ１０４の磁石は、任意の既知の方法によってシャンク１０２に固定され得る。
【０１１１】
請求される装置の利点は、キーシークレット送達溝２０１を介してキーシークレット機構２０２にアクセスできないこと、およびキーシークレット１０３を交換して異なるロック２００を開く可能性である。
【０１１２】
そのようなドッキング機構の実施方法は、キーシークレット１０３のビットをシャンク１０２に向けて配置することである。キーシークレット１０３のビットのそのような配置により、ロックシークレット機構２０２をドラム２０６−９の外側に取り出すことが可能である。この場合、ドラム２０６−９は、溝２０６−９１を使用して、グリップ１０４から離れたキーシークレット１０３の一部を取り付け、ドラム２０６−９をさらに回転させると、ドラム２０６−９から突出するキーシークレット１０３のビットは、ドラム２０６−９の外側にあるキーシークレット機構２０２に到達する。
【０１１３】
請求される本発明の第６の本質的な特徴は、キーシークレット送達溝２０１を部分に分割する溝分割機構２０８という、これまで知られていなかった装置である。
【０１１４】
請求される装置の実施例は、追加のセクター２０６−９２を備えたドラム２０６−９であり得、追加のセクター２０６−９２は、キーシークレット１０３がグリップ１０４から分割された後、ドラム２０６−９が回転する際、キーシークレット送達溝２０１を閉じる。このセクター２０６−９２は、くさび形の形状を有し、キーシークレット送達溝２０１内のキー１００の残りの部分を押し、次に、キーシークレット送達溝２０１を閉じることにより、溝分割機構２０８の機能を実行する。
【０１１５】
この装置は、キー１００が溝分割機構２０８によって分割され、キーシークレット送達溝２０１が閉じられるため、キーシークレット送達溝２０１を介してキーシークレット機構２０２への外部アクセスの可能性を完全に防止するため、以前に使用された類似物よりも有利である。本発明の請求される特徴の技術的結果は、ロックの強度を増加させることである、それはキーシークレット送達溝２０１を分割することによって達成される。
【０１１６】
本発明の第７の本質的な特徴は、キー１００が部分に分割された後、ロック２００内のキー１００の異なる部分を別々に動かすというこれまで知られていなかった方法である。
【０１１７】
請求される方法の実施において実行される一連の操作は以下の通りである。頭部１０１、シャンク１０２、シークレット１０３およびグリップ１０４を含むキー１００は、請求される方法によってキーシークレット送達溝２０１に配置され、キー１００の部分が分割され、キーシークレット１０３を含むキー１００の部分が、キーシークレット１０３を含まないキー１００の部分とは異なる軌道で移動される。
【０１１８】
請求される方法では、以下の操作が厳密に必須である。キー１００の一部が、キー１００の他の部分とは異なる軌道に沿って移動される。
【０１１９】
本発明の第７の特徴に関連する残りの操作は任意である。方法のいくつかの手順が可能であり、一連の操作の実行が時間内に組み合わされる。
【０１２０】
請求される方法の実施例は、本発明の以前の特徴で以前に記載されたように、ビットの組み合わせの形態で作られたロックシークレット１０３を有し、頭部１０１から離れたシャンク１０２の端部に作製された、シークレット１０３の非作動側に接続されたテーパー穴１０３−１および同じテーパーのテーパーシャフト１０２−１からなるグリップ１０４を有するレバータンブラー式ロック２００のキー１００であり得る。グリップ１０４から分離されたキーシークレット１０３は、ドラム２０６−９の回転軸の周りを回転し、キーシャンク１０２は、キーシークレット送達溝２０１の回転軸の周りを回転する。
【０１２１】
この方法は、外からロックシークレット機構２０２の外部利用の可能性を完全に防止するため、以前に使用された同様の方法と比較して利点がある。請求された本発明の特徴の技術的結果は、ロック２００の強度を増加させることであり、これはキー１００の異なる部分の別々の動きを使用することによって達成される。
【０１２２】
本発明の第８の本質的な特徴は、このロックシークレット機構２０２が作動された際、キー１００の他の部分から分離されたキーシークレット１０３とロックシークレット機構２０２との相互作用の以前は知られていない方法である。
【０１２３】
請求される方法の実施において行われる一連の操作は以下の通りである。頭部１０１、シャンク１０２、シークレット１０３およびグリップ１０４を含むキー１００は、請求される方法によってキーシークレット送達溝２０１に配置され、キー１００の部分が分離され、キーシークレット機構２０２は、キー１００とシークレット１０３と相互作用する。
【０１２４】
請求される方法では、以下の操作が厳密に必須である。ロックシークレット機構２０２との相互作用は、キーシークレット１０３を含む、キー１００の他の部分から分離されたキー１００の一部によって実行される。
【０１２５】
本発明の第８の特徴に関連する残りの操作は任意である。方法のいくつかの手順が可能であり、一連の操作の実行が時間内に組み合わされる。
【０１２６】
請求される方法の実施例は、本発明の以前の特徴で以前に記載されたように、ビットの組み合わせの形態で作られたロックシークレット１０３を有し、頭部１０１から離れたシャンク１０２の端部に作製された、シークレット１０３の非作動側に接続されたテーパー穴１０３−１および同じテーパーのテーパーシャフト１０２−１からなるグリップ１０４を有するレバータンブラー式ロック２００のキー１００であり得る。グリップ１０４とは分離されたキーシークレット１０３は、キーシークレット機構２０１と相互作用する。
【０１２７】
この方法は、外からロックシークレット機構２０２の外部利用の可能性を完全に防止するため、以前に使用された同様の方法と比較して利点がある。請求される本発明の特徴の技術的結果は、ロック２００の強度を増加させることであり、これはキー１００の一部のみがロックシークレット機構と相互作用することによって達成される。
【０１２８】
本発明の第９の本質的な特徴は、ロックシークレット機構２０２を外部の影響から保護する従来の方法から以前は知られていなかった方法であり、この方法ではキー１００がキーシークレット送達溝２０１に設置され、次にキー１００が部分に分割され、次にキーシークレット送達溝２０１が部分に分割される。次に、キーシークレット送達溝２０１の一部が溝障壁２０７によって他の部分から分割され、次にキー１００の部分がキーブロック２１１によって分割され、キーシークレット送達溝２０１が溝障壁２０７によって分離され、キー部分２００がキーブロック２１１によって互いに分離された後、キーシークレット１０３が外部から利用できないロックキーシークレット機構２０２に送達される。
【０１２９】
請求される方法の実施において行われる一連の操作は以下の通りである。頭部１０１、シャンク１０２、シークレット１０３およびグリップ１０４を含むキー１００は、請求される方法によってキーシークレット送達溝２０１に配置され、キー１００の部分が分離され、キーシークレット送達溝２０１は溝障壁２０７によって分離され、キー１００の部分は、キーブロック２１１によって分離される。
【０１３０】
請求される方法では、以下の操作が厳密に必須である。キーシークレット送達溝２０１は、溝障壁２０７によって分離され、および・またはキー１００の部分はキーブロック２１１によって分割される。
【０１３１】
本発明の第９の特徴に関連する残りの操作は任意である。方法のいくつかの手順が可能であり、一連の操作の実行が時間内に組み合わされる。
【０１３２】
請求される方法の実施例は、本発明の以前の特徴で以前に記載されたように、ビットの組み合わせの形態で作られたロックシークレット１０３を有し、グリップ１０４を有するレバータンブラー式ロック２００のキー１００であり得る。セクター２０６−９２は、キーシークレット送達溝２０１を閉じ、溝障壁２０７として機能する。ドラム２０６−９の端面は、キー１００部分を互いに分離し、キーブロック２１１として機能する。グリップ１０４から分離されたキーシークレット１０３は、キーシークレット機構２０１と相互作用する。
【０１３３】
この方法は、外からロックシークレット機構２０２の外部利用の可能性を完全に防止するため、以前に使用された同様の方法と比較して利点がある。請求される本発明の特徴の技術的結果は、ロック２００の強度を増加させることであり、これはキーシークレット送達溝２０１を溝障壁２０７によって部分に分割し、キーブロック２１１よってキー１００の異なる部分を互いに分離することによって達成される。
【０１３４】
本発明の第１０の本質的な特徴は、キーシークレット１０３をロックシークレット機構２０２へ送達するための従来技術から知られている方法であり、この方法ではキーシークレット１０３は、キーシャンク１０２ではなく、追加のロック制御要素、例えばロックハンドル２１０によって、キーシークレット送達溝２０１を介してロックシークレット機構２０２に送達される。この既知の方法からは、追加の制御要素、すなわちロックノブ２１０が除外され、その機能は、ロックシークレット１０３から分割された頭部１０１によって実行される。
【０１３５】
既知の方法では、キー１００は完全にキーシークレット送達溝２０１に配置され、これは、特にキーシークレット送達溝２０１からキー１００を取り出す場合、人間工学的の観点から不便である。キー１００全体をキーシークレット送達溝２０１に配置すると、キーシークレット送達溝２０１の寸法を大きくし、人にとって奇妙で珍しい形状のキーを使用することが必要になる。本発明において、キーシークレット１０３を有するキー１００の一部は、ロックの外側に残っている頭部１０１を有するキー１００の部分を人の手に快適に保持できるように、ドッキング機構２０６によってロックシークレット機構２０２へ送達される。これは、ロックを開く一般的な従来の方法である。
【０１３６】
請求される方法の実施において実行される一連の操作は以下の通りである。頭部１０１、シャンク１０２、シークレット１０３およびグリップ１０４を含むキー１００は、請求される方法によってキーシークレット送達溝２０１に配置され、キー１００の部分が分離され、キー１００の部分はドッキング機構２０６によって分離され、キーシークレット１０３は、キー頭部１０１によって駆動されるキーシークレット送達機構２１２によってロックシークレット機構２０２へ送達される。
【０１３７】
請求される方法において厳密に必須であるのは、任意の順番で実行される以下のすべての操作の同時存在である。キーシークレット１０３を含むキー１００の一部がキー１００の他の部分から分離され、キーシークレット１０３がキーシークレット送達機構２１２によってロックシークレット機構２０２へ送達される。キーシークレット送達機構２１２は、キー頭部１０１から駆動される。
【０１３８】
本発明の第１０の特徴に関連する残りの操作は任意である。方法のいくつかの手順が可能であり、一連の操作の実行が時間内に組み合わされる。
【０１３９】
請求される方法の実施例は、本発明の以前の特徴で以前に記載されたように、ビットの組み合わせの形態で作られたロックシークレット１０３を有し、グリップ１０４を有するレバータンブラー式ロック２００のキー１００であり得る。セクター２０６−９２は、キーシークレット送達溝２０１を閉じ、溝障壁２０７として機能する。キー頭部１０１から回転して駆動されるドラム２０６−９は、グリップ１０４から分離されたキーシークレット１０３をキーシークレット機構２０１へ送達し、キーシークレット送達機構２１２として機能する。
【０１４０】
この方法は、外からロックシークレット機構２０２の外部利用の可能性を完全に防止するため、以前に使用された同様の方法と比較して利点がある。請求される本発明の特徴の技術的結果は、ロック２００の強度を増加させることであり、これはキー頭部１０１から駆動されるキーシークレット送達機構２１２によって、キーの他の部分から分離されたキーシークレット１０３を送達することによって達成される。
【０１４１】
本発明の第１１の本質的な特徴は、先行技術から知られている装置であるグリップ１０４であり、これは、キー１００を部分に分割して、保管および輸送を容易にする。請求される本発明において、このグリップ１０４は、キー１００の保管しやすく寸歩を縮小するためにキー１００を分離しキー１００を使用する（ロック２００への取り付ける）前に組み立てるためだけでなく、ロック２００に入ったままキーを分離および組み立てるためにも、新しい、以前は知られていなかった用途に使用される。
【０１４２】
請求される装置の設計は、以下の必須要素からなる。頭部１０１、シャンク１０２、キーシークレット１０３、グリップ１０４によって部分に分割される機能のあるグリップ１０４からなるキー１００、キーシークレット送達溝２０１、キーシークレット機構２０２、ロックバー駆動２０３、ロックバー２０４、ロックケース２０５、ドッキング機構２０６、キーシークレット送達機構２１２からなるロック２００。他のキー要素（溝障壁２０７、溝分割機構２０８、ロックノブ２０９、キーブロック２１０、キーブロック機構２１１）は任意である。請求されるロックの設計に任意の要素を含めることで、請求される装置のさまざまな形を作成できる。
【０１４３】
グリップ１０４の目的は、キー１００を分割および・または組み立てることである。ドッキング機構２０６の目的は、キー１００をグリップ１０４によって部分に分割することである。
【０１４４】
キーシークレット送達機構２１２の目的は、他のキー１００部分から分離されたキーシークレット１０３を含むキー１００の一部をキーシークレット機構２０２へ送達することである。キー１００およびロック２００の他の要素の目的は、以上に説明された。
【０１４５】
グリップ１０４は、キーシークレット１０３とシャンク１０２を接続する線に沿って配置することができ、シャンク１０２に固定された磁石の形態で作られ得る。請求される方法では、キーシークレット１０３は磁性材料で作製される必要があり、グリップ１０４の磁石は、キー１００を運ぶときにキーシークレット１０３がシャンク１０２から自発的に分離しないように、十分な磁気強度を有しなければならない。グリップ１０４の磁石は、任意の既知の方法によってシャンク１０２に固定され得る。
【０１４６】
請求される方法の利点は、キーシークレット送達溝２０１を介してキーシークレット機構２０２の利用不可であり、異なるロック２００を開くためにキーシークレット１０３を交換する可能性である。
【０１４７】
請求される本発明の特徴の技術的結果は、ロック２００の強度を増加させることであり、これは、ロック２００の作動ストローク中にグリップ１０４によってキー１００を部分に分割することによって達成される。
【０１４８】
本発明の第１２の本質的な特徴は、持ち運び中にキーを部分に分割する従来の技術から知られている方法の目的、およびロック２００の同じ他の部分（例えば、シャンク１０２および頭部１０１）と異なるロックシークレット１０３を使用する、以前は未知の方法の目的の両方のために、グリップ１０４を使用する以前は未知の方法である。
【０１４９】
請求される方法の実施において実行される一連の操作は、以下の通りである。頭部１０１、シャンク１０２、ロック２００の外側に位置するグリップ１０４を含むキー１００に対して、様々なロックからの様々なシークレット１０３を取り付け、キー１００の寸法を縮小するためにシークレット１０３を取り外し、キー１００がロック２００内に入る際、キー１００の部分は、ドッキング機構２０６によって分離される。
【０１５０】
請求される方法において厳密に必須であるのは、以下のすべての操作の存在である。ロックの外側のキー１００の分解と組み立て、ロックの内側のキー１００の分解と組み立て。
【０１５１】
本発明の第１２の特徴に関連する残りの操作は任意である。方法のいくつかの手順が可能であり、一連の操作の実行が時間内に組み合わされる。
【０１５２】
請求される方法の実施例は、本発明の以前の特徴で以前に記載されたように、ビットの組み合わせの形態で作られたロックシークレット１０３を有し、グリップ１０４を有するレバータンブラー式ロック２００のキー１００であり得る。
【０１５３】
この方法は、キーシークレット機構２０２への外部アクセスの可能性を完全に防止し、複数のキー１００の束の重量を低減するため、以前に使用された同様の方法に比べて利点を有する。請求される本発明の特徴の技術的結果は、ロック２００の強度を増加させることであり、これは、頭部１０１から駆動されるキーシークレット送達機構２１２によってキーの他の部分から分離されたキーシークレット１０３の送達、鍵束の重量および寸法を減らすことによって達成される。
【０１５４】
本発明の重要な第１３の特徴は、先行技術から知られているストッパー２１３であり、これは、特許請求される本発明において、キー１００全体ではなく、キー１００の分割状態中にキーシークレット送達溝２０１からの分割されたキー１００の一部および・または部分のみが取り出されるのを防止する。請求される装置の構造は、以下の本質的な要素からなる。頭部１０１、シャンク１０２、シャンク１０２の範囲から出っ張るラジアルピン１０２−１からなるキー１００、シークレット１０３、グリップ１０４によって部分に分割できるグリップ１０４、キーシークレット送達溝２０１、リンク２１４、ドッキング機構２０６からなるロック２００で構成される。他のキー要素とロック要素は任意である。請求されるロックの設計に任意の要素を含めることで、請求される装置のさまざまな形を作成できる。
【０１５５】
キーシークレット送達溝２０１から外側に突き出る頭部１０１付きのキー１００の部分は、ピン１０２−１およびリンク２１４からなるストッパー２１３によってキーシークレット送達溝２０１から取り出されるのをブロックされる。ピン１０２−１はシャンク１０２上に配置され、ピン１０２−１用のスロットを備えるリンク２１０は、キーシークレット送達溝２０１に配置され、キー１００の接続状態に対応するリンク２１４に対するキー１００の特定の位置でのみ、キーシークレット送達溝２０１からキー１００を取り出せるようにする。
【０１５６】
ストッパー２１４の目的は、キー１００の一部がロック２００から取り外されるのを防ぐことである。
【０１５７】
請求される本発明の特徴の技術的結果は、キー１００の一部がロック２００から取り出されるのを防ぐことである。
【０１５８】
請求される本発明の重要な第１４の特徴は、先行技術から知られているグリップ１０４であり、本発明では、グリップ１０４の２つの部分がキー１００の部分に取り付けられるプロトタイプとは異なり、グリップ１０４がキー１００の他の部分から完全に分離し、キー１００の別の部分を形成することができる。これにより、このグリップ１０４を溝障壁２０７および・またはキーブロック２１０に配置することができる。
【０１５９】
請求される装置の設計は、以下の必須要素からなる。頭部１０１、シャンク１０２、キーシークレット１０３、グリップ１０４によって部分に分割される機能のあるグリップ１０４からなるキー１００、キーシークレット送達溝２０１、キーシークレット機構２０２、ロックバー駆動２０３、ロックバー２０４、ロックケース２０５、ドッキング機構２０６、溝障壁２０７、キーブロック２１０、キーシークレット送達機構２１２からなるロック２００。他のキー要素（溝分割機構２０８、ロックノブ２０９、キーブロック機構２１１）は任意である。請求されるロックの設計に任意の要素を含めることで、請求される装置のさまざまな形を作成できる。
【０１６０】
グリップ１０４の目的は、キー１００を分割および・または組み立てることである。  キー１００の設計を簡素化するために、グリップ１０４は、シャンク１０２の２つの部分を接続する円筒形磁石の形で作製することができる。溝障壁２０７を、キー１００の形状の穴を備えたワッシャーの形で、グリップ１０４磁石の厚さに等しい厚さで作製することにより、グリップ１０４磁石を溝障壁２０７に置くことができる。この解決策は、キー１００の部分を容易に分離し、ドッキング機構２０６を簡素化することを可能にする。キー１００およびロック２００の残りの要素の目的および設計は、上記に説明された。
【０１６１】
グリップ１０４は、シャンク１０２の接続線に沿って配置することができ、キーシークレット１０３およびそれに接続されるシャンク１０２の部分は、頭部１０１に接続されるシャンク１０２の残りの部分から分離される。グリップ１０４は、シャンク１０２の断面を有する磁石の形態で作られ、磁気引力の力によってのみシャンク１０２に固定される。請求される方法では、シャンク１０２またはシャンク１０２の一部は磁性材料で作製される必要があり、グリップ１０４の磁石は、キー１００を運ぶときにシャンク１０２の部分がグリップ１０４から自発的に分離しないように、十分な磁気強度を有しなければならない。
【０１６２】
請求される方法の利点は、キーシークレット送達溝２０１を介してキーシークレット機構２０２の利用不可であり、異なるロック２００を開くためにキーシークレット１０３を交換する可能性である。
【０１６３】
請求される本発明の特徴の技術的結果は、ロック２００の強度を増加させることであり、これは、ロック２００の作動ストローク中にグリップ１０４によってキー１００を部分に分割し、溝障壁２０７と組み合わせることができるグリップ１０４およびドッキング機構２０３の設計を簡素化することによって達成される。      
【０１６４】
請求される本発明は、発明の産業的適用性、新規性、発明性というすべての必要かつ十分な基準要素を満たす。以下は本発明の各特徴がこの基準要素に準拠しているかどうかを示す。
【０１６５】
解決策は産業的に適用されるには、実際に実装されるようにする必要がある。その装置はその機能を実行でき、その方法を実行できるようにする必要がある。そのために、発明の出願文書には、当技術分野の当業者の知識を考慮に入れて、請求範囲内に記載される形態で解決策を実施できる手段および方法を記載する必要がある。
【０１６６】
発明が新規であると承認されるには、世界で公表された情報源から以前に知られていないものではなければならない。
【０１６７】
独立請求項に記載されるすべての特徴を有するものが、先行技術から知られている場合、その発明は新規として承認されない。
【０１６８】
発明が発明性を有すると承認されるには、それが先行技術に明示的に従わないものではなければならない。つまり、複数の情報源からの情報に基づいても、専門家に明らかではないものではなければならない。発明の自明性を分析する際、同じ目的の最も近い類似体（プロトタイプ）を最初に示し、発明とプロトタイプとの間の相違点が特定され、次にこれらの相違点が知られている追加の情報源を検出する。相違点が特定され、請求される発明と同じ結果を達成できる場合、それは先行技術から明らかであり、発明性がないものとされる。
【０１６９】
本発明の第１の特徴は、ロック２００の作動ストローク中にキー１００を部分に分割する動作である。この特徴の産業的適用性は、作業のためのビジョンシステムを使用して複雑な装置の組み立ておよび分解を独自で実行できるロボットが存在するため、先行技術に従う。また、装置の切断と接続のより簡単な方法が存在する。たとえば、複数の鋼棒を適切な直径の円筒形の磁石で接続し、このような装置をクランプ付きのブッシングに取り付け、必要な磁石と必要なシャンクをクランプで交互に固定し、そのクランプを必要な方向に移動させることにより、シャンクの分割と接続の操作を実行できる。
【０１７０】
本発明の第１の特徴の新規性については、先行技術の特許検索および分析を行い、ロック２００に設置される前に組み立てられるキー１００が存在するが、ロック２００の作動ストローク中に、すなわちロック２００の内部で分解および組み立てが実行されるキーに関する情報が検出されなかったことにより証明される。
【０１７１】
本発明における、分割可能なキー１００使用の結果は、キー１００を運ぶための追加の装置を利用せずに、人が慣れている簡単で使用しやすい方法によって達成される、ロックシークレット機構２０１への外部アクセスが不可能になることである。
【０１７２】
本発明の発明性は、請求される発明のプロトタイプおよび類似体がロック２００の作動ストローク中に分割されるキー１００を有さないことにより、証明される。類似体と請求される本発明との違いは、プロトタイプの分割不可能なキー１００が、ロックにはキー１００のさらなる移動の追加の装置を必要とするキーシークレット送達溝２０１に完全に設置されることである。人がキーシークレット送達溝２０１に分割不可能なキー１００を配置した後、そのキーの頭部を離して、ロックの他の制御要素に影響することにより、その分割不可能なキーをさらにシークレット機構２０１へ移動させる。難しくて慣れていない操作には両手を使う必要がある。プロトタイプと類似体が、ロックのハンドルの下に配置する分割不可能なキーを下からロックに取り付けるという仕組みを使うため、その操作は目で制御できない。分割可能なキー１００のみが、ロックシークレット機構２０２へ外部からアクセスを完全に防止すること、つまり請求される効果を簡単で人が慣れている方法で達成することができる。従って、他の方法では達成できない本発明の発明性が証明される。他のすべての方法では、ロックシークレット機構へのアクセスを困難にするが、アクセス不可を簡単で使い慣れた方法で提供することはできない。請求される本発明では、分割可能なキー１００は、キーシークレット送達溝２０１に設置され、頭部１０１で回され、その動きの結果として、シークレット１０３がシャンク１０２および頭部１０１から分割され、頭部１０１は人の手に残り、ロックドッキング機構２０６はシャンク１０１および・または分割された状態のキー１００のキーシャンク１０２の偶発的または意図的な取り出しを防ぎ、人は頭部１０１を回し続け、頭部１０１とは別にキーシークレット１０３がドッキング機構２０６によって外部から完全にアクセスできないロックシークレット機構２０２へ移動される。本発明に従って作製されたキー１００およびロック２００を備えたロック機構３００を使用する際、人は従来のキーおよび従来のロックを使用した場合と比較して、その違いにも気付かないであろう。分割可能なキー１００を使用してロックを開閉するこの方法は、従来の分割不可能なキーを使用してロックを開閉する人が慣れている方法と同じである。ただし、動作中にロックの外側に残る頭部を備えた分割不可能なキーは、原則として、外部アクセスからロックシークレット機構２０２に完全にアクセスできないことを保証できず、ロック２００の強度を低下させる。ロックシークレット機構２０２の基本的な外部からのアクセス不可は、人が慣れているロックを開閉する方法を変更せず、通常のロックの動作中にキーを部分に分割することにより達成される。類似体は、類似体で分割不可能なキーを使用することで請求される本発明と違い、請求される本発明と同じ結果を達成できないため、請求される特徴は、先行技術から明らかではなく、発明性を有する。
【０１７３】
本発明の第２の本質的な特徴は、ロック２００の作動ストローク中にキーシークレット送達溝２０１を部分に分割するというこれまで知られていなかった適用である。
【０１７４】
本発明の第２の特徴の産業的適用性は、溝分割装置がバルブ、ボールバルブであるため、または溝の部分の切断および接続を独立で実行できるバルブおよびバルブ用の電気駆動装置が存在するため、先行技術から生じる。
【０１７５】
本発明の第２の特徴の新規性に関しては、先行技術の特許検索および分析によると、キーシークレット送達溝２０１へのアクセスを困難にする装置が存在するが、特別な記憶効果合金で作られたキーを通過させるために送達溝を湾曲形状で作製すること、その溝をロックの裏側で作製することなどが提案されるが、ロックの動作ストローク中にキーシークレット送達溝２０１を部分に分割に関する情報がないため、その新規性が証明される。
【０１７６】
本発明における分割可能なキーシークレット送達溝２０１の使用の結果は、ロックシークレット機構２０２への外部アクセスの完全な防止である。請求される結果は、キーシークレット１０３をキーシークレット機構２０２へ送達するキーシークレット送達溝２０１の部分が、キーシークレット１０３とともに移動するが、頭部１０１が取り付けられたシャンク１０２が残ったキーシークレット送達溝２０２の部分とは別々移動するため、キーシークレット送達溝２０１の分離から生じる。
【０１７７】
本発明の発明性は、請求される本発明のプロトタイプおよび類似物が、ロックの作動ストローク中にキーシークレット送達溝２０２の分割が行われないことにより証明される。本発明の類似物とプロトタイプとの違いは、類似物とプロトタイプではシークレット機構へのアクセスが困難であるが、本発明の請求される特徴ではアクセスが不可能であるということにある。この違により、類似物とプロトタイプが請求される本発明と同じ結果を達成することができない、したがって、請求される第２の特徴は先行技術から明らかではなく、必要な発明性を有する。
【０１７８】
本発明の第３の本質的な特徴は、ロック２００の作動ストローク中にキーシークレット送達溝２０１を部分に分割するこれまで知られていない溝障壁２０７の存在である。
【０１７９】
請求される本発明の第３の特徴の産業的適用性は、溝に沿った動きを遮断する装置（バルブ、ボールバルブ）が、溝内の溝障壁の設置および除去を独立で実行するバルブおよびバルブ用の機械的および電気的駆動が存在するため、先行技術から生じる。
【０１８０】
本発明の第３の特徴の新規性は、キーシークレット送達溝２０１へのアクセスを部分的に防止する装置があり、この送達溝２０１を複雑な形状にし、狭いスロット状の溝が複雑な形状のキー１００を通過させることを提案するが、ロックの動作ストローク中に部分的にキーシークレット送達溝２０１が完全に遮断されるという情報がない、最新技術の特許検索および分析によって証明される。
【０１８１】
本発明においてキーシークレット送達溝２０１に設置される溝障壁２０７の使用の結果は、ロックシークレット機構２０２への外部アクセスの完全な不可である。請求される結果は、キーシークレット１０３をロックシークレット機構２０２へ送達するキーシークレット送達溝２０２の部分へのアクセスが、溝障壁２０７によって完全に遮断されるため、ロックシークレット機構２０２に対して、キーシークレット送達溝２０１を使用して任意のものによりアクセスを防止するということに基づいている。
【０１８２】
本発明の発明性は、請求される本発明のプロトタイプおよび類似物が、ロックの作動ストローク中にキーシークレット送達溝２０２に設置される溝障壁を有しないことにより証明される。本発明の類似物とプロトタイプとの違いは、類似物とプロトタイプではシークレット機構へのアクセスが困難であるが、本発明の請求される特徴ではアクセスが不可能であるということにある。この違により、類似物とプロトタイプが請求される本発明と同じ結果を達成することができない、したがって、請求される第３の特徴は先行技術から明らかではなく、必要な発明性を有する。
【０１８３】
請求される本発明の第４の本質的な特徴は、キー１００の部分をその分割後に互いに分離する、これまで知られていなかったキーブロック２１０の存在である。
【０１８４】
本発明の第４の特徴の産業的適用性は、装置の分割後に装置の部分を分離する装置、例えば、射撃後に銃身で残るスリーブを弾丸から分離するナガンシステムのリボルバー内のドラム、切断後にバーを移動させる旋盤のカウンタースピンドルのコレットチャックなど、キー１００の分割された部分の間のキーブロック２１０の取り付けおよび取り外しを独立して実行する装置の機械的および電気的駆動が存在するため、先行技術から由来する。
【０１８５】
本発明の第４の特徴の新規性は、ロックの作動ストローク中にキー１００の分割部分間のキーブロック２１０の設置に関する情報がない、実施された特許検索および先行技術の分析によって証明される。
【０１８６】
本発明においてキー１００の分割部分の間に設置されるキーブロック２１０の使用の結果は、ロックシークレット機構２０２への外部からのアクセスの完全な不可である。請求される結果は、キー１０３およびロックシークレット機構２０２が、キーブロック２１０によって完全に遮断されるため、ロックシークレット機構２０２に対して、任意のものによるアクセスを防止するということに基づいている。
【０１８７】
本発明の発明性は、本発明のプロトタイプおよび類似物が、ロックの作動ストローク中にキー１００の部分の間に設置されるブロックを有しないことにより証明される。本発明の類似物とプロトタイプとの違いは、類似物とプロトタイプではシークレット機構へのアクセスが困難であるが、本発明の請求される特徴ではアクセスが不可能であるということにある。この違により、類似物とプロトタイプが請求される本発明と同じ結果を達成することができない、したがって、請求される第４の特徴は先行技術から明らかではなく、必要な発明性を有する。
【０１８８】
本発明の第５の本質的な特徴は、ロック２００におけるキー１００を部分に分割する、これまで知られていなかったドッキング機構２００の存在である。
【０１８９】
この特徴の産業的適用性は、作業のためのビジョンシステムを使用して複雑な装置の組み立ておよび分解を独自で実行できるロボットが存在するため、先行技術に従う。また、装置の切断と接続のより簡単な方法が存在する。たとえば、複数の鋼棒を適切な直径の円筒形の磁石で接続し、このような装置をクランプ付きのブッシングに取り付け、必要な磁石と必要なシャンクをクランプで交互に固定し、そのクランプを必要な方向に移動することで、シャンクの分割と接続の操作を実行できる。これらの従来の装置は、キー１００を解放および・またはドッキングするためのドッキング機構２０６を製造することが可能であることを証明する。
【０１９０】
本発明の第５の特徴の新規性は、ロックの作動ストローク中にロック内でキーを組み立ておよび分解する機構に関する情報がない特許検索および先行技術の分析によって証明される。
【０１９１】
本発明におけるドッキング機構２０６の使用結果は、キー１００を動かすための追加の装置を使用せずに、人が慣れている簡単で利用しやすい方法によって達成される、キーシークレット送達溝２０１への外部アクセスの不可である。
【０１９２】
本発明の発明性は、請求される発明のプロトタイプおよび類似体が、ロックの作動ストローク中にキー１００を分割するドッキング機構を有しないことにより、証明される。類似体および請求される本発明との違いは、類似体の分割不可能なキー１００が、ロックにはキー１００のさらなる移動の追加の装置を必要とするキーシークレット送達溝２０１に完全に設置されることである。人がキーシークレット送達溝２０１に分割不可能なキー１００を配置した後、そのキーの頭部を離して、ロックの他の制御要素に影響することにより、その分割不可能なキーをさらにシークレット機構２０１に移動させる。難しくて慣れていない操作には両手を使う必要がある。プロトタイプと類似体が、ロックのハンドルの下に配置する分割不可能なキーを下からロックに取り付けるという仕組みを使うため、その操作は目で制御できない。キー１００を分割するドッキング機構のみが、ロックシークレット機構２０２へ外部からアクセスを完全に防止すること、つまり請求される効果を簡単で人が慣れている方法で達成することができる。従って、他の方法では達成できない本発明の発明性を証明する。他のすべての方法では、ロックシークレット機構へのアクセスを困難にするが、アクセス不可を簡単で使い慣れた方法で提供することはできない。本発明では、分割可能なキー１００は、キーシークレット送達溝２０１に設置され、頭部１０１によって回され、この動きの結果として、シークレット１０３はシャンク１０２および頭部１０１から分離され、頭部１０１は人の手に残る。
【０１９３】
本発明の第５の特徴で請求されるロックドッキング機構２０６は、キー１００を部分に分割し、ロック２００の作動ストローク中にキー１００の部品からキー１００を１つの全体に組み立て、キー１００が分割されたときにキーの頭部１０１および・またはキーシャンク１０２の偶発的または意図的な取り外しを防止する。人は頭部１０１を回し続け、頭部１０１とは別に、キーシークレット１０３は、ドッキング機構２０６によって、外部から完全にアクセスできないロックシークレット機構２０２へ移動される。本発明に従って作製されたキー１００およびロック２００を備えたロック機構３００を使用する際、人は従来のキーおよび従来のロックを使用した場合と比較して、その違いにも気付かないであろう。分割可能なキー１００を使用してロックを開閉するこの方法は、従来の分割不可能なキーを使用してロックを開閉する人が慣れている方法と同じである。ただし、動作中にロックの外側に残る頭部を備えた分割不可能なキーは、原則として、外部アクセスからロックシークレット機構２０２に完全にアクセスできないことを保証できず、ロック２００の強度を低下させる。ロックシークレット機構２０２の基本的な外部からのアクセス不可は、人が慣れているロックを開閉する方法を変更せず、ロック２００の動作中にキー１００を部分に分割するドッキング機構２０６の作動により達成される。類似体は、類似体で分割不可能なキーを使用することで請求される本発明と違い、ドッキング機構を使用せず、請求される発明と同じ結果を達成できないため、請求される特徴は、先行技術から明らかではなく、発明性を有する。
【０１９４】
本発明の第６の本質的な特徴は、ロック２００におけるキーシークレット送達溝２０１を部分に分割する、これまで知られていなかった溝分割機構２０８の存在である。
【０１９５】
この特徴の産業的適用性は、作業のためのビジョンシステムを使用して複雑な装置の組み立ておよび分解を独自で実行できるロボットが存在するため、先行技術に従う。また、装置の切断と接続のより簡単な方法が存在する。たとえば、複数の鋼棒を適切な直径の円筒形の磁石で接続し、このような装置をクランプ付きのブッシングに取り付け、必要な磁石と必要なシャンクをクランプで交互に固定し、そのクランプを必要な方向に移動することで、シャンクの分割と接続の操作を実行できる。これらの従来の装置は、キーシークレット送達溝２０１を遮断および・または接続するための溝分割機構２０８を製造することが可能であることを証明する。
【０１９６】
本発明の第６の特徴の新規性は、ロックの作動ストローク中にキーシークレット送達溝を部分に遮断および接続するそのような機構に関する情報がない特許検索および先行技術の分析によって証明される。
【０１９７】
本発明における溝分割機構２０８の使用結果は、キー１００を動かすための追加の装置を使用せずに、人が慣れている簡単で利用しやすい方法によって達成される、キーシークレット送達溝２０１への外部アクセスの不可である。
【０１９８】
本発明の発明性は、請求される発明のプロトタイプおよび類似体が、ロックの作動ストローク中にキーシークレット送達溝２０１を分割する溝分割機構２０８を有しないことにより、証明される。類似体と請求される本発明との違いは、類似体の分割不可能なキー１００が、ロックにはキー１００のさらなる移動の追加の装置を必要とするキーシークレット送達溝２０１に完全に設置されることである。人がキーシークレット送達溝２０１に分割不可能なキー１００を配置した後、そのキーの頭部を離して、ロックの他の制御要素に影響することにより、その分割不可能なキーをさらにシークレット機構２０１に移動させる。難しくて慣れていない操作には両手を使う必要がある。プロトタイプと類似体が、ロックのハンドルの下に配置する分割不可能なキーを下からロックに取り付けるという仕組みを使うため、その操作は目で制御できない。キーシークレット送達溝２０１を分割する溝分割機構２０８のみが、ロックシークレット機構２０２へ外部からアクセスを完全に防止すること、つまり請求される効果を簡単で人が慣れている方法で達成することができる。従って、他の方法では達成できない本発明の発明性を証明する。他のすべての方法では、ロックシークレット機構へのアクセスを困難にするが、アクセス不可を簡単で使い慣れた方法で提供することはできない。本発明では、分割可能なキー１００は、キーシークレット送達溝２０１に設置され、頭部１０１によって回され、この動きの結果として、シークレット１０３はシャンク１０２および頭部１０１から分離され、頭部１０１は人の手に残る。
【０１９９】
本発明の第６の特徴で請求される溝分割機構２０８は、キーシークレット送達溝２０１を部分に分割し、それを１つの全体に組み立てる。本発明に従って作製されたキー１００およびロック２００を備えたロック機構３００を使用する際、人は従来のキーおよび従来のロックを使用した場合と比較して、その違いにも気付かないであろう。分割可能なキー１００を使用してロックを開閉するこの方法は、従来の分割不可能なキーを使用してロックを開閉する人が慣れている方法と同じである。ただし、動作中にロックの外側に残る頭部を備えた分割不可能なキーは、原則として、外部アクセスからロックシークレット機構２０２に完全にアクセスできないことを保証できず、ロック２００の強度を低下させる。ロックシークレット機構２０２の基本的な外部からのアクセス不可は、人が慣れているロックを開閉する方法を変更せず、ロック２００の動作ストローク中にキーシークレット送達溝を分割する溝分割機構２０８の作動により達成される。プロトタイプは、プロトタイプで分割不可能なキーを使用することで請求される本発明と違い、溝分割機構２０８を使用せず、請求される発明と同じ結果を達成できないため、請求される特徴は、先行技術から明らかではなく、発明性を有する。
【０２００】
本発明の第７の本質的な特徴は、ロック２００におけるキー１００を部分に分割した後、これまで知られていなかったキー１００の部分の別々の移動可能性である。
【０２０１】
この特徴の産業的適用性は、作業のためのビジョンシステムを使用して複雑な装置の組み立ておよび分解を独自で実行できるロボットが存在するため、先行技術に従う。また、キー１００の分割された部分の別々の動きの操作を実行することができる、旋盤のスピンドルおよびカウンタースピンドルなどの分割された部分の別々の動きを制御するより簡単な方法もある。これらの従来の装置は、キー１００の異なる部分の別々の動きのための機構を製造する可能性を証明する。  
【０２０２】
本発明の第７の特徴の新規性は、ロック２００の作動ストローク中にキー１００の部分を別々に動かせる機構に関する情報がない特許検索および先行技術の分析によって証明される。
【０２０３】
本発明における分割されたキー１００の部分の別々の動きの使用の結果は、キー１００を動かすための追加の装置を使用せずに、人が慣れている簡単で利用しやすい方法によって達成される、キーシークレット送達溝２０１への外部アクセスの不可である。
【０２０４】
本発明の発明性は、請求される発明のプロトタイプが、ロックの作動ストローク中に分割されたキー１００の部分の別々の動きがないことにより、証明される。類似体と請求される本発明との違いは、類似体の分割不可能なキー１００が、ロックにはキー１００のさらなる移動ための追加の装置を必要とするキーシークレット送達溝２０１に完全に設置されることである。分割されたキー１００の部分の別々の動きのみが、ロックシークレット機構２０２へ外部からアクセスを完全に防止すること、つまり請求される効果を簡単で人が慣れている方法で達成することができる。従って、他の方法では達成できない本発明の発明性を証明する。他のすべての方法では、ロックシークレット機構へのアクセスを困難にするが、アクセス不可を簡単で使い慣れた方法で提供することはできない。
【０２０５】
本発明の第７の特徴で請求される分割されたキー１００の部分の別々の動きは、基本的な外部からのロックシークレット機構２０２へアクセス不可を保証し、人が慣れているロックを開閉する方法を変更せず達成される。類似体は、類似体で分割不可能なキーを使用することで請求される本発明と違い、分割されたキー１００の部分の別々の動きを使用せず、請求される発明と同じ結果を達成できないため、請求される特徴は、先行技術から明らかではなく、発明性を有する。
【０２０６】
本発明の第８の本質的な特徴は、ロックシークレット機構２０２が作動されたときの、これまで知られていなかった、キー１００の残り部分から分離されたキーシークレット１０３とロックシークレット機構２０２との相互作用である。
【０２０７】
この特徴の産業的適用性は、作業のためのビジョンシステムを使用して複雑な装置の組み立ておよび分解を独自で実行できるロボットが存在するため、先行技術に従う。また、キー１００の分割された部分とロックシークレット機構２０２との相互作用と同様の操作を実行できる、フライス盤の自動ツール交換機など、異なる部品および要素の相互作用のより簡単な方法も存在する。これらの従来の装置は、分離されたキー１００の部分、特にキーシークレット１０３がシークレット機構２０２と相互作用できることを証明する。
【０２０８】
本発明の第８の特徴の新規性は、ロック２００の作動ストローク中にキー１００の部分がロック２００の機構と相互作用する機構に関する情報がない、特許検索および先行技術の分析によって証明される。
【０２０９】
本発明における分割されたキーシークレット１０３がロックシークレット機構２０２と相互作用する結果は、キー１００を動かすための追加の装置を使用せず、人が慣れている簡単で利用しやすい方法によって達成される、キーシークレット送達溝２０１への外部アクセスの不可である。
【０２１０】
本発明の発明性は、請求される発明のプロトタイプと類似体が、ロックの作動ストローク中に分割されたキーシークレット１０３がロックシークレット機構２０２と相互作用することにより、証明される。類似体と請求される本発明との違いは、類似体の分割不可能なキー１００が、ロックにはキー１００のさらなる移動ための追加の装置を必要とするキーシークレット送達溝２０１に完全に設置されることである。分割されたキーシークレット１０３がロックシークレット機構２０２と相互作用することのみが、ロックシークレット機構２０２へ外部からアクセスを完全に防止すること、つまり請求される効果を簡単で人が慣れている方法で達成することができる。従って、他の方法では達成できない本発明の発明性を証明する。他のすべての方法では、ロックシークレット機構へのアクセスを困難にするが、アクセス不可を簡単で使い慣れた方法で提供することはできない。
【０２１１】
本発明の第８の特徴で請求される分割されたキーシークレット１０３のロックシークレット機構２０２との相互作用は、基本的な外部からのロックシークレット機構２０２へのアクセス不可を保証し、人が慣れているロックを開閉する方法を変更せず達成される。類似体は、類似体で分割不可能なキーを使用することで請求される本発明と違い、分割されたキーシークレット１０３のロックシークレット機構２０２との相互作用を使用せず、請求される発明と同じ結果を達成できないため、請求される特徴は、先行技術から明らかではなく、発明性を有する。
【０２１２】
本発明の第９の本質的な特徴は、これまで先行技術から知られていなかった、ロックシークレット機構２０２の保護方法である。この方法では、キーシークレット送達溝２０１にキー１００の既知の設置後、このキー１００は部分に分割され、次にキーシークレット送達溝２０１が部分に分割され、キーシークレット送達溝２０１の一部が溝障壁１０４によって他の部分から分離され、次にキー１００の部分が溝障壁１０４によって分離され、キーシークレット送達溝２０１がキーブロック２１０によって分割された後、キーシークレット１０３が外部からアクセスできないロックシークレット機構２０２へ送達される。
【０２１３】
この特徴の産業的適用性は、特徴１〜８の産業的適用性の前述の証拠から得られ、本発明の第９の特徴の新規性は、そのような方法についての情報がない、特許検索および先行技術の分析によって証明される。本発明におけるこの方法の使用結果は、キー１００を動かすための追加の装置を使用せずに、人が慣れている簡単で利用しやすい方法によって達成される、キーシークレット送達溝２０１への外部アクセスの不可である。
【０２１４】
本発明の発明性は、請求される本発明のプロトタイプと類似体が、前述の操作がないことにより、証明される。類似体と請求される本発明との違いは、類似体の分割不可能なキー１００が、ロックにはキー１００のさらなる移動ための追加の装置を必要とするキーシークレット送達溝２０１に完全に設置されることである。本発明の第９の特徴で請求される操作のみが、ロックシークレット機構２０２へ外部からアクセスを完全に防止すること、つまり請求される効果を簡単で人が慣れている方法で達成することができる。従って、他の方法では達成できない本発明の発明性を証明する。他のすべての方法では、ロックシークレット機構へのアクセスを困難にするが、アクセス不可を簡単で使い慣れた方法で提供することはできない。
【０２１５】
本発明の第９の特徴で請求される操作の一連は、基本的なロックシークレット機構２０２へ外部からアクセス不可を保証し、人が慣れているロックを開閉する方法を変更せず達成される。類似体は、類似体で分割不可能なキーを使用することで請求される本発明と違い、請求される操作の一連を使用せず、請求される本発明と同じ結果を達成できないため、請求される特徴は、先行技術から明らかではなく、発明性を有する。
【０２１６】
本発明の第１０の本質的な特徴は、キーシークレット１０３をロックシークレット機構２０２に送達するための先行技術から知られている方法であり、これではキーシークレット１０３をキーシークレット送達溝２０１を介してロックシークレット機構２０２へ送達する操作は、キーシャンク１０２ではなく、例えばドアノブなどの別のロック要素によって実行される。しかし、既知の方法では、キー１００は完全にキーシークレット送達溝２０１に配置され、これは特にキーシークレット送達溝２０１からキー１００を取り出すときに人間工学の観点から不便であるため、キーシークレット送達溝２０１の寸法を大きくし、人が慣れていない珍しい形状のキーを使用することにつながる。本発明において、キーシークレット１０３を有するキー１００の一部は、ロックの外側に残っている頭部１０１を有するキー１００の部分がロックを開く一般的な従来の方法で人の手に快適に保持されるように、ドッキング機構２０６によってロックシークレット機構２０２に送達される。
【０２１７】
この特徴の産業的適用性は、作業のためのビジョンシステムを使用して複雑な装置の組み立ておよび分解を独自で実行できるロボットが存在するため、先行技術に従う。また、装置の切断と接続のより簡単な方法が存在する。たとえば、複数の鋼棒を適切な直径の円筒形の磁石で接続し、このような装置をクランプ付きのブッシングに取り付け、必要な磁石と必要なシャンクをクランプで交互に固定し、そのクランプを必要な方向に移動することで、シャンクの分割と接続の操作を実行できる。これらの従来の装置は、キー１００を解放および・またはドッキングするためのドッキング機構２０６を製造することが可能であることを証明する。
【０２１８】
本発明の第１０の特徴の新規性は、ロックの作動ストローク中に解体された状態でロック内で移動するキーに関しては情報がない特許検索および先行技術の分析によって証明される。
【０２１９】
本発明における分割可能なキーの使用結果は、人が慣れている簡単で利用しやすい方法によって達成される、キーシークレット送達溝２０１への外部アクセスの不可である。
【０２２０】
本発明の発明性は、請求される発明のプロトタイプおよび類似体が、ロックの作動ストローク中に分割されるキー１００を有さないことにより、証明される。類似体と請求される本発明との違いは、類似体の分割不可能なキー１００が、ロックにはキー１００のさらなる移動ための追加の装置を必要とするキーシークレット送達溝２０１に完全に設置されることである。人がキーシークレット送達溝２０１に分割不可能なキー１００を配置した後、そのキーの頭部を離して、ロックの他の制御要素に影響することにより、その分割不可能なキーをさらにシークレット機構２０１に移動させる。難しくて慣れていない操作には両手を使う必要がある。プロトタイプと類似体が、ロックのハンドルの下に配置する分割不可能なキーを下からロックに取り付けるという仕組みを使うため、その操作は目で制御できない。分割可能なキー１００のみが、ロックシークレット機構２０２へ外部からアクセスを完全に防止すること、つまり請求される効果を簡単で人が慣れている方法で達成することができる。従って、他の方法では達成できない本発明の発明性を証明する。他のすべての方法では、ロックシークレット機構へのアクセスを困難にするが、アクセス不可を簡単で使い慣れた方法で提供することはできない。請求される本発明では、分割可能なキー１００は、キーシークレット送達溝２０１に設置され、頭部１０１で回され、その動きの結果として、シークレット１０３はシャンク１０２および頭部１０１から分割され、頭部１０１は人の手に残り、ロックドッキング機構２０６はシャンク１０１および・または分割された状態のキー１００のキーシャンク１０２の偶発的または意図的な取り出しを防ぎ、人は頭部１０１を回し続け、頭部１０１とは別にキーシークレット１０３はドッキング機構２０６によって外部から完全にアクセスできないロックシークレット機構２０２へ移動される。本発明に従って作製されたキー１００およびロック２００を備えたロック機構３００を使用する際、人は従来のキーおよび従来のロックを使用した場合と比較して、その違いにも気付かないであろう。分割可能なキー１００を使用してロックを開閉するこの方法は、従来の分割不可能なキーを使用してロックを開閉する人が慣れている方法と同じである。ただし、比較のロックのキーシークレット送達溝２０１に完全に設置される分割不可能なキーには、操作中にロックの外側に残りキー１００を従来の方法で操作できる頭部がない。本発明における頭部は、同時に、ロックの通常の動作を保証し、ロックシークレット機構２０２が外部から基本的にアクセスできないことを保証する。その結果は、ロックの作動中にキーが部分に分割されることによって、人が慣れているロックの開閉方法を変えることなく、本発明の請求された特徴において達成される。類似体は、類似体で分割不可能なキーを使用することで請求される本発明と違い、請求される分割可能なキーを使用せず、請求される本発明と同じ結果を達成できないため、請求される特徴は、先行技術から明らかではなく、発明性を有する。
【０２２１】
本発明の第１１の本質的な特徴は、容易な保管および持ち運びのためにキー１００を部分に分割する、先行技術から知られているグリップ１０４である。請求される本発明において、このグリップ１０４は、キー１００の格納および寸歩を縮小するためにキー１００を分割し、それを使用する（ロック２００に取り付ける）前にキー１００を組み立てるためだけでなく、ロック２００に設置された状態でキーを分離および組み立てるためにも、新しい、これまで知られていなかった用途に使用される。
【０２２２】
本発明の第１１の特徴の産業的適用性は、装置の部品、例えば、ねじおよびナット、コレットチャックおよびクランプされたバーを繰り返し分割および接続する装置があり、これらの装置のための機械的および電気的駆動があり、キー１００の分割された部分を分割および接続することができる、キー１００の異なる鋼部品の間に取り付けられた磁石を使用することも可能であるため、先行技術から生じる。
【０２２３】
本発明の第１１の特徴の新規性は、ロックの作動ストローク中のキー１００の分割部分間のグリップ１０４の設置に関する情報がない、実施された特許検索および先行技術の分析によって証明される。
【０２２４】
本発明においてキー１００の分割部分の間に設置されたグリップ１０４の使用の結果は、ロックシークレット機構２０２への外部アクセスの完全な不可である。請求される結果は、グリップ１０４がキーシークレット１０３をキー１００の残りの部分から分割するため、キー１００の残りの部分から分割されたキーシークレット１０３およびロックシークレット機構２０２へのものによるアクセスを防止することに起因する。
【０２２５】
本発明の発明性は、本発明のプロトタイプが、ロックの作動ストローク中にキー１００の部品の間に設置されるグリップ１０４を有しないことにより証明される。請求される本発明とプロトタイプとの違いは、プロトタイプではシークレット機構へのアクセスが困難であり、本発明の請求される特徴ではアクセスが不可能であるということにある。この違いは、プロトタイプが請求される発明と同じ結果を達成することをできないため、請求される第１１の特徴は先行技術から明らかではなく、必要な発明性を有する。
【０２２６】
本発明の第１２の本質的な特徴は、持ち運びときにキーを部分に分割するための従来の技術から知られている方法の目的、およびロック２００の同じ残りの部分（例えば、シャンク１０２および頭部１０１）と異なるロックシークレット１０３を使用するこれまで未知の方法の目的の両方のために、グリップ１０４を使用するこれまで未知の方法である。
【０２２７】
本発明の第１２の特徴の産業的適用性は、装置の部品、例えば、ねじおよびナット、コレットチャックおよびクランプされたバーを繰り返し分割および接続する装置があり、これらの装置のための機械的および電気的駆動があり、キー１００の分割された部分を分割および接続することができる、キー１００の異なる鋼製部品の間に取り付けられた磁石を使用することも可能であるため、先行技術から生じる。
【０２２８】
本発明の第１２の特徴の新規性は、頭部１０１およびシャンク１０２などのキー１００の固定部分と、キーシークレット１０３などのキー１００の交換可能部品との間にグリップ１０４の設置に関する情報がない、実施された特許検索および先行技術の分析によって証明される。
【０２２９】
本発明において、キー１００の部分の間に設置されるグリップ１０４の使用の結果は、キー１００の束の寸歩および重量を低減することである。請求される特徴は、異なるロック２００からの複数のキーシークレット１０３とともに、１つのロック頭部１０２および１つのグリップ１０４を備えた１つのロックシャンク１０２のみを持ち運びおよび保管することを可能にするためである。請求される結果は、グリップ１０４と複数の交換可能なキーシークレット１０３があるということに基づく。
【０２３０】
本発明の発明性は、請求される本発明のプロトタイプが、複数の異なるロック２００からのキーシークレット１０３を有しないことにより証明される。プロトタイプと請求される本発明との違いは、プロトタイプにおいて１つのキーのみが分割されるが、本発明の請求される特徴において、複数の異なるキーシークレット１０３を１つのセット（頭部１０１、シャンク１０２およびグリップ１０４）と使用できるということである。プロトタイプが請求される本発明と同じ結果を達成できないのはこの違いにあり、したがって、請求される第１２の特徴は先行技術から明らかではなく、必要な発明性を有する。
【０２３１】
本発明の重要な第１３の特徴は、先行技術から既知のストッパー２１３であり、これは、特許請求される本発明において、キー１００全体ではなく、キー１００の分割状態中にキーシークレット送達溝２０１からの分割されたキー１００の一部および・または複数の部分のみが取り出されるのを防止する。
【０２３２】
本発明の第１３の特徴の産業的適用性は、既知の装置、例えば、ロックねじおよびナット、コレットチャックおよびクランプされたバーに取り付けられたときに任意の要素をロックする装置、これらの装置のための機械的および電気的駆動が存在するため、また、バーがスロットに入った状態にのみ、Ｔ字型スロットに挿入されたＴスロット形の溝付きバーを分割できるスロット付きのＴ字型の円形または直線状の溝を使用できるため、先行技術から生じる。
【０２３３】
本発明の第１３の特徴の新規性は、ロックの作動ストローク中にキー１００の分割された部分を固定するストッパー２１３の設置に関する情報がない、特許検索および先行技術の分析によって証明される。
【０２３４】
本発明においてストッパー２１３を使用した結果は、キー１００が分割されたときに、キーシークレット送達溝２０１からキー１００の部分を取り出すことは完全に不可能である。
【０２３５】
本発明の発明性は、本発明のプロトタイプおよび類似体が、ロック２００の作動ストローク中にキー１００の部分を固定するストッパー２１３を有しないことにより証明される。請求される本発明とプロトタイプとの違いは、プロトタイプではシークレット機構へのアクセスが困難であり、本発明の請求される特徴ではアクセスが不可能であるということにある。この違いは、プロトタイプが請求される発明と同じ結果を達成することをできないため、請求される第１３の特徴は先行技術から明らかではなく、必要な発明性を有する。
【０２３６】
本発明の重要な特徴は、先行技術から知られているグリップ１０４であり、本発明では、グリップ１０４の２つの部分がキー１００の部分に取り付けられているプロトタイプとは違い、キー１００の残りの部分から完全に分割して、キー１００の別の部分を形成することができることにより、このグリップ１０４を溝障壁２０７および・またはキーブロック２１０に配置することを可能にする。
【０２３７】
本発明の第１１の特徴の産業的適用性は、装置の部品、例えば、ねじおよびナット、コレットチャックおよびクランプされたバーを繰り返し分割および接続する装置があり、これらの装置のための機械的および電気的駆動があり、キー１００の分割された部分を分割および接続することができる、キー１００の異なる鋼製部分の間に取り付けられた磁石を使用することも可能であるため、先行技術から生じる。
【０２３８】
本発明の第１４の特徴の新規性は、ロックの作動ストローク中のキー１００の分割部分間のグリップ１０４の設置に関する情報がない、実施された特許検索および先行技術の分析によって証明される。
【０２３９】
本発明において、キー１００の分割された部分の間に設置されるグリップ１０４の使用の結果は、ロックシークレット機構２０２への外部からのアクセスの完全な不可である。請求される結果は、グリップ１０４がキーシークレット１０３をキー１００の残りの部分から分割するため、  キー１００の残りの部分から分割されたキーシークレット１０３およびロックシークレット機構２０２への任意のものによるアクセスの不可に起因する。
【０２４０】
本発明の発明性は、本発明のプロトタイプおよび類似体が、ロック２００の作動ストローク中にキー１００の部分の間に設置されるグリップ１０４を有しないことにより証明される。請求される本発明とプロトタイプとの違いは、プロトタイプではシークレット機構へのアクセスが困難であり、本発明の請求される特徴ではアクセスが不可能であるということにある。この違いは、プロトタイプが請求される発明と同じ結果を達成することをできないため、請求される第１４の特徴は先行技術から明らかではなく、必要な発明性を有する。
【０２４１】
請求される方法の複数の特徴を含む本発明の実施例は、磁石に引き付けられる材料から全体的または部分的に作製されたキー１００であり、そのシャンク１０２は成形された断面を有し、そのシークレット１０３も特定の成形された形状を有し、そのキー１００は、グリップ１０４の役割を果たす磁石を有し、その磁石は一方で磁気引力によってシャンク１０２の端面に取り付けられ、他方でこの磁石は磁気引力によってロックシークレット１０３の端面に取り付けられる。機械的グリップも可能である。
【０２４２】
ロック２００はケース２０５を含み、ケースに穴２１９が作られ、ケースの内側の穴２１９に溝２１９−１が作られ、溝２１９−１にロックシークレット機構２０２が配置され、穴２１９には軸方向の穴２１７−１および偏心形状の穴２１７−２を有する仕切り２１７が移動の可能性なしに取り付けられる。この仕切り２１７は、穴２１９と一体にすることができ、またはそれとは別にすることもでき、仕切り２１７の偏心形状の穴２１７−２は、ロックシークレット機構２０２から離れる、ロックケース２０５の両側で穴２１９にタンデムシリンダー２１６が配置され、このタンデムシリンダー２１６は、シャフト２１８、内側同軸シリンダー２１６−２および外側同軸シリンダー２１６−１から構成され、外側同軸シリンダー２１６−１および内側同軸シリンダー２１６−２は、仕切り２１７によって分割され、シャフト２１８は、仕切り２１７の軸方向の穴２１７−１に配置され、同軸シリンダー２１６−１および同軸シリンダー２１６−２は、シャフト２１７に対して移動する可能性なしに、仕切り２１７の両側でシャフト２１８に固定される。タンデムシリンダー２１６は、仕切り２１７の軸方向の穴２１７−１のシャフト２１８とともに回転する可能である。
【０２４３】
キーシークレット送達溝２０１は、タンデムシリンダー２１６の回転軸に対して偏心して配置された成形穴の形で作られる。シリンダー式ロックのタンデムシリンダー２１６は、２本の同軸シリンダー、相互移動の可能性なしで共通の回転軸２１８に取り付けられる外側シリンダー２１６−１と内側シリンダー２１６−２で構成される。ロック２００の外側に近い位置にある外側シリンダー２１６−１は、キーシークレット外側送達溝２０１−１の偏心穴を含み、ロック２００の外側から遠くに位置する内側シリンダー２１６−２は、キーシークレット内側送達溝２０１−２の偏心穴を有する。共通の回転軸を有するシリンダー２１６−１およびシリンダー２１６−２は、軸方向の穴２１７−１および偏心穴２１７−２を備えた半径方向に向けられた固定仕切り２１７によって分割され、シリンダー２１６−１およびシリンダー２１６−２の回転軸２１８は、仕切り２１７の軸方向の穴２１７−１、仕切り２１７の偏心穴を、ロック２００が静止位置にあり、キーシークレット外側送達溝２０１−１およびキーシークレット内側送達溝２０１−２の開口と一致し、単一のキーシークレット送達溝２０１を形成するように、特定の位置で通過する。シリンダー２１６は、ドッキング機構２０６および溝分割機構２０８として機能し、シリンダーは、軸方向穴および偏心穴を備えた固定仕切り２１７によって半径方向に分割されるため、この仕切りは、溝障壁２０７およびキーブロック２１０として機能する。仕切りの厚みは、磁石で作られたグリップ１０４の長さと一致し、仕切りの軸方向の位置は、キーが正しく取り付けられた場合に磁石の位置と一致する。シリンダ２１６のこの位置において、キーシークレット外側送達溝２０１−１およびキーシークレット内側送達溝２０１−２は、固定仕切り２１７の偏心穴によって接続される。ロック２００のシリンダーがキー１００を取り付けた状態で回転すると、グリップ１０４として機能する磁石が固定仕切り２１７の偏心穴に残る。仕切りは、キーシークレット外側送達溝２０１−１およびキーシークレット内側送達溝２０１−２を分割する溝障壁２０７およびキーブロック２１０として機能する。磁石で作られたグリップ１０４は、仕切りに面するシリンダー２１６−１およびシリンダー２１６−２の端部によって仕切り２１７の偏心穴に保持される。シャンク１０２とシャックル１０１を備えたキー１００の部分は、キーシークレット外側送達溝２０１−１に残り、キーシークレット１０３は、キーシークレット内側送達溝２０１−２に残る。仕切り２１７の偏心穴２１７−２は、グリップ１０４として機能し、この空洞において、グリップ１０４がロック２００の作動ストローク中に配置される。固定仕切り２１７とともにドッキング機構２０６および溝分割機構２０８として機能するシリンダー２１６のさらなる回転により、キーシークレット１０３が外部からアクセスできないロックシークレット機構２０２へ送達され、そこでキーの残りの部分から分割されたキーシークレット１０３は、ロックシークレット機構２０２と相互作用し、それを作動させ、ロック２００を開く。軸２１８で回転するシリンダ２１６は、キーシークレット送達機構２１２の役割を果たす。外側シリンダー２１６−１の前のロックケース２０５には、カバーストッパー２２０が設置され、その穴が偏心および・またはカットアウトで作成され、ロック２００が静止位置に取り付けられている場合のみ、このカットアウトおよび・または偏心によりキー１００の設置および取り外しが可能になる。
【０２４４】
この方法は、溝障壁２０７として機能する固定仕切り２１７によって遮断されるキーシークレット送達溝２０１を介してロックシークレット機構２０２への外部アクセスの可能性を完全に防止するため、以前に使用された同様の方法と比較して利点がある。
【０２４５】
このようなロック２００用のキー１００は、キーがキーシークレット送達溝２０１に設置される際、キーシークレット１０３が固定ケース１０６から引き出され、キー１００のグリップ１０４がケース１０６内に留まる伸縮構造を使用して作製できることにより、ロック２００の設計を簡素化することが可能になる。
【０２４６】
キー１００とロック２００の可能な要素の不完全なリストを以下に示す。
・キー頭部１０１
・キーシャンク１０２
・ピン１０２−１
・キーシークレット１０３
・グリップ１０４
・テーパーシャフト１０２−１
・テーパーブッシング１０３−１
・キーカバー１０５
・ケース１０６
・キーシークレット送達溝２０１
・キーシークレット外側送達溝２０１−１
・キーシークレット内側送達溝２０１−２
・キーシークレット機構２０２
・ロックバー駆動２０３
・ロックバー２０４
・ロックケース２０５
・ドッキング機構２０６
・ドッキング機構スプリットブッシング２０６−１
・ドッキング機構スプリットウォッシャー２０６−２
・スプリットブッシングの回転軸２０６−３
・スライドキー２０６−４
・ブラケット２０６−５
・ブラケット軸２０６−６
・スプリットブッシング軸２０６−７
・スプリットウォッシャーのスライディングピン２０６−８
・ドラム２０６−９
・溝２０６−９１
・セクター２０６−９２
・溝障壁２０７
・溝分割機構２０８
・ロックノブ２０９
・キーブロック２１０
・キーブロック機構２１１
・キーシークレット送達機構２１２
・ストッパー２１３
・リンク２１４
・溝ブロック機構２１５
・タンデムシリンダー２１６
・外側同軸シリンダー２１６−１
・内側同軸シリンダー２１６−２
・仕切り２１７
・中央の穴２１７−１
・偏心穴２１７−２
・シャフト２１８
・穴２１９
・空洞２１９−１
・ストッパーカバー２２０  
【０２４７】
請求される本発明において、キー１００およびロック２００は、先行技術から知られていない次の新しい要素を含む。キーシークレット外側送達溝２０１−１、キーシークレット内側送達溝２０１−２、ドッキング機構２０６、溝障壁２０７、溝分割機構２０８、キーブロック２１０、キーブロック機構２１１、キーシークレット送達機構２１２、溝ブロック機構２１５、タンデムシリンダー２１６、外側同軸シリンダー２１６−１、内側同軸シリンダー２１６−２、仕切り２１７、中央穴２１７−１、偏心穴２１７−２、シャフト２１８、段穴２１９、空洞２１９−１、ストッパーカバー２２０。
【０２４８】
請求される本発明は、複数のキー１００（自宅、職場、車などのキー）を、異なるロックからの寸歩が小さい複数のキーシークレット１０３と、頭部１０１、グリップ１０４を備えたシャンク１０２からなる１つのキー１００に交換することを可能にし、また、ロックピッキング、バンピング、不正な開錠に対するロックの強度を増加させることを可能にする。
【０２４９】
以下は、ロックの新しく導入された要素に関連してグループ化された、請求される本発明の保護される特徴の部分的なリストである。
【０２５０】
シークレット１０３はキー１００から分離される。
【０２５１】
Ｕ１）シークレット１０３がロック２００の作動ストローク中にキー１００の残りの部分から分割することができるキー１００を含むロック機構３００。
【０２５２】
グリップ１０４は、ドッキング機構２０６と相互作用する。
【０２５３】
Ｕ２）キー１００の任意の部分の間に設置された、キー１００の部分を分割および接続する能力を有する、少なくとも１つのグリップ１０４または同じ機能を有する別の機構があり、ロック２００の作動ストローク中にキー１００を部分に分割する、ロックが少なくとも１つのドッキング機構２０６または同じ機能を有する別の機構を含む、ロック機構３００。
【０２５４】
キーシークレット送達溝２０１は、部分に分割される。
【０２５５】
Ｕ３）ロック２００が、既知または未知の方法のいずれか、ならびにこれらの方法の任意の組み合わせにより、キーシークレット送達溝２０１をキーシークレット外側送達溝２０１−１とキーシークレット内側送達溝２０１−２を含む、いくつかの部分に分割する、および・またはキーシークレット送達溝２０１を複数の部分から一つの全体に接続する能力を有することを特徴とするロック機構３００。
【０２５６】
キー１００の部分は、キーブロック２１０によって互いに分割される。
【０２５７】
Ｕ４）ロック２００の作動ストローク中のキー１００の分割された部分は、例えば、任意の形状の可動および・または固定シャッター、可動および・または固定円セクター、キー１００の分割された要素を一つの全体に結合させない他の任意の可動および・または固定幾何学的形状物の組み合わせの形の、キーブロック２１０によって必要な時間に分割される、ロック機構３００。  
【０２５８】
キーシークレット送達溝２０１の部分は、溝障壁２０７によって分離される。
【０２５９】
Ｕ５）ロック２００の動作ストローク中に少なくとも１つのキーシークレット送達溝２０１が、キー１００の一部または複数の部分が溝の一部から、例えばキーシークレット外側送達溝２０１−１から、溝の別の部分に、例えばキーシークレット内側送達溝２０１−２に入ることを防止する、例えば、任意の形状の可動および・または固定シャッター、可動および・または固定円セクター、キー１００の分割された要素を一つの全体に結合させない他の任意の可動および・または固定幾何学的形状物の組み合わせの形の、少なくとも１つの溝障壁２０７によって、必要な時間に分割される、ロック機構３００。
【０２６０】
ロック２００はドッキング機構２０６を含む。
【０２６１】
Ｕ６）とりわけ、ロック２００と個別または内蔵された、既知および・または未知のエネルギー源またはこれらのエネルギー源の組み合わせから駆動される、ロック２００の他の要素と分離または組み合わされ、キー１００を複数の部分に分割する機能、および・またはキー１００を複数の部分から一つの全体に接続する機能を実行する、少なくとも１つのドッキング機構２０６を含むロック２００を有するロック機構３００。
【０２６２】
ロック２００は、溝分割機構２０８を含む。
【０２６３】
Ｕ７）とりわけ、キーシークレット送達溝２０１を複数の部分に分割する機能および・またはキーシークレット送達溝２０１を複数の部分から一つの全体に接続する機能を実行する、少なくとも１つの溝分割機構２０８を含むロック２００を有するロック機構３００。
【０２６４】
キー１００の部分は、互いに別々に移動する。
【０２６５】
Ｕ８）ロックの作動ストローク中に、キー１００の一部がロック２００に設置された状態でキー１００の他の部分とは別に移動することができるロック機構３００。
【０２６６】
分割されたキーシークレット１０３は、ロックシークレット機構２０２と相互作用する。
【０２６７】
Ｕ９）キー１００の他の部分の中で、キー１００の他の部分から分割されたキーシークレット１０３を含むキー１００の一部がロック２００のキーシークレット機構２０２と相互作用するロック機構３００。
【０２６８】
ロック２００は、キーブロック機構２１１を含む。
【０２６９】
Ｕ１０）ロック２００の作動ストローク中に、キー１００の部分を互いに分離するキーブロック２１０を設定する少なくとも１つキーブロック機構２１１を含む、ロック２００のロック機構３００。
【０２７０】
頭部１０１によるシークレット機構２０２へのキーシークレット１０３の送達。
【０２７１】
Ｕ１１）キーシークレット１０３を含むキー１００の分割された部分が、キー１００の頭部１０１から駆動されるキーシークレット送達機構２１２を含む、ロック２００の要素によってキーシークレット機構２０２に送達されるロック機構３００。
【０２７２】
グリップ１０４は、ロック２００内のキー１００を解体および組み立てのために使用される。
【０２７３】
Ｕ１２）キー１００のグリップ１０４は、ロック２００の作動ストローク中にキー１００を解体および組み立てのために使用されるロック機構３００。
【０２７４】
キーグリップ１０４は、あらゆるキーシークレット１０３を取り付けるために使用される。
【０２７５】
Ｕ１３）キー１００のグリップ１０４が、キー１００の同じ残りの部分を有する複数の異なるロック２００からのそれぞれのキーシークレット１０３を接続および・または分割するために使用されるロック機構３００。
【０２７６】
キーグリップ１０４は、溝障壁２０７および・またはキーブロック機構２１１に配置される。
【０２７７】
Ｕ１４）ロック２００がキー１００のグリップ１０４を入れるために設計された少なくとも１つの空洞を有する、少なくとも１つのキーブロック２１０および・または少なくとも１つの溝障壁２０７を有しることを特徴とするロック機構。
【０２７８】
キー１００の部分とロック２００の機構の相互作用
【０２７９】
Ｃ１５）ロックの作動ストローク中に、ロック２００のドッキング機構２０６がキー１００のグリップ１０４に作用し、それによりキー１００を部分に分割し、ロック２００の溝分割機構２０８によりキーシークレット送達溝２０１を必要な数の部分に分割し、必要に応じてキーシークレット送達溝２０１に溝障壁２０７を設置し、必要に応じて、溝障壁２０７によりキーシークレット送達溝２０１の部分を互いに分離し、溝障壁２０７および・またはキーブロック２１０によりキー１００の部分を互いに分離し、キー１００の頭部１０１がキーシークレット外側送達溝２０１−１による外部空間と接続されたままで残り、キーシークレット１０３が、溝障壁２０７および・またはキーブロック２１０によって分離されたキーシークレット内側送達溝２０１−２において配置され、キーシークレット１０３が別個にまたはキー１００の他の部分とともに取り付けられ、キーシークレット１０３がロックシークレット機構へロック２００の任意の機構により移動され、ロックシークレット機構２０２がキーシークレット外側送達溝２０１−１とは別に作られ、キーシークレット外側送達溝２０１−１が、特定の位置でロック２００のキーシークレット送達機構２１２に接続され、キーシークレット送達機構２１２がロックシークレット機構２０２に接続される位置はキーシークレット送達機構２１２がロック２００のキーシークレット外側送達溝２０１−１に接続される状態とは異なり、キー１００の適切なキーシークレット１０３が送達される場合、ロックシークレット機構２０２が作動する方法。
【０２８０】
キー１００は部分に分割される。
【０２８１】
Ｃ１６）ロックの作動ストローク中にキーを部分に分割する方法。
【０２８２】
キーシークレット送達溝２０１は部分に分割される。
【０２８３】
Ｃ１７）ロック２００の作動ストローク中に、キーシークレット送達溝２０１を部分に分割する方法。
【０２８４】
溝障壁２０７は、キーシークレット送達溝２０１に設置される。
【０２８５】
Ｃ１８）ロック２００の作動ストローク中に、少なくとも１つの溝障壁２０７がキーシークレット送達溝２０１に配置され、キーシークレット送達溝２０１の部分を分割する方法。
【０２８６】
キーブロック２１０は、キー１００の部分の間に設置される。
【０２８７】
Ｃ１９）ロック２００の作動ストローク中に、キー１００が部分に分割された後、少なくとも１つキーブロック２１０がキー１００の部分の間に配置され、キー１００の部分を互いに分離する方法。
【０２８８】
ドッキング機構２０６は、ロック２００の作動ストローク中にキー１００を分割する。
【０２８９】
Ｃ２０）ロック２００の作動ストローク中に、キー１００が部分に分割され、および・またはキー１００がキー１００の異なる部分から組み立てられる、少なくとも１つのドッキング機構２０６が作動する方法。
【０２９０】
ストッパー２１３は、キー１００の分離された部分を固定する。
【０２９１】
Ｃ２１）ロック２００の作動ストローク中に、少なくとも１つのストッパー２１３が作動され、キーシークレット送達溝２０１からのキー１００の一部および・または複数の部分の取り出しを防止する方法。
【０２９２】
キー１００の部分は、互いに別々に移動する。
【０２９３】
Ｃ２２）ロック２００の作動ストローク中に、キー１００の異なる部分が別々の動きを実行する方法。
【０２９４】
キー１００の分離されたキーシークレット１０３は、ロック２００のシークレット機構２０２を作動させる。
【０２９５】
Ｃ２３）ロックの作動ストローク中に、キー１００の残りの部分から分離されたキーシークレット１０３が、ロックシークレット機構２０２と相互作用する方法。
【０２９６】
キーブロック２１０と溝障壁２０７は、キー１００の部分を分離する。
【０２９７】
Ｃ２４）キー１００を部分に分割し、キーシークレット送達溝２０１を部分に分割し、キーシークレット送達溝２０１の一部をキーブロック２１０および・または溝障壁２０７によって他の部分から分離し、同じまたは他のキーブロック２１０および・または溝障壁２０７によってキー１００の部分が分離され、キー１００の他の部分から分離されたキー１００のキーシークレット１０３が別々にまたはキー１００の他の部分と一緒にロックシークレット機構２０２へ送達される方法。
【０２９８】
キー頭部１０１は、キー１００から分割されたキーシークレット１０３を移動させる。
【０２９９】
Ｃ２５）キー１００の他の部分から分割されたキー１００のシークレット１０４が、人の手が必要に応じて、キー１００の他の部分と接続されたキー頭部１０１に作用しることによりキー１００の他の部分とは別に、または一緒に、ロックシークレット機構２０２へ送達される方法。
【０３００】
キーグリップ１０４は、ロック２００の作動ストローク中に使用される。
【０３０１】
Ｃ２６）キー１００がロック２００のキーシークレット送達溝２０１に入っているとき、グリップ１０４を使用してキー１００を分割および・または組み立てる方法。
【０３０２】
キーグリップ１０４は、溝障壁２０７および・またはキーブロック２１０に配置される。
【０３０３】
Ｃ２７）次のすべての操作が任意の順番で実行されることを特徴とする方法。ロック２００の作動ストローク中に、キー１００が必要な数の部分に分割され、グリップ１０４が全体にまたは部分的に、キー１００の必要な部分の有無にかかわらず、それと一緒にまたは別々に溝障壁２０７および・またはキーブロック２１０に配置される。
【０３０４】
キーグリップ１０４にさまざまなキーシークレット１０３が取り付けられる。
【０３０５】
Ｃ２８）ロック２００の異なシークレット機構２０２に適合する異なるシークレット１０３が、キー１００の単一のグリップ１０４に取り付けられる方法。
【０３０６】
上記の特徴は、１０請求項の特許請求範囲を構成する。これらの請求項は、請求される本発明の特許性に関する３つの必須要件すべてと１つの望ましい要件を満たす。
【０３０７】
第一の必須要件は、社会的に重要な問題の解決を仲介する請求される技術的結果を得るのに、必要かつ十分なすべての特徴が含まれる特許請求範囲の内容の完全性である。
【０３０８】
第二の必須要件は、特許請求範囲の内容に含まれる機能があいまいな解釈させない一般的に受け入れられている概念で表現するように、特許請求範囲の内容の確実性の必要性である。たとえば、特許請求範囲の請求項には、「長い」、「冷たい」、「十分に強い」などのあいまいな単語を使用することはできない。  
【０３０９】
要素がないこと、または要素間の接続がないことを示すために、特許請求範囲に負の特徴を使用することはできない。
【０３１０】
第３の望ましい要件は、内容が最も一般的な概念によって特徴付けらる特許請求範囲の一般化である。
【０３１１】
第４の必須要件は、発明の統一性の要件であり、独立した請求項には、問題に対する１つの技術的解決策のみを特徴付ける機能が含まれる必要がある。
【０３１２】
請求される本発明における装置の特性および方法の特性の分析に基づいて、以下の特許請求範囲の請求項はすべて、これらの要件を満たす。
【０３１３】
装置の特性の分析：
・１つ以上の構造要素を含む。例：ロック装置３００は、グリップ１０４、ドッキング機構２０６、溝障壁２０７を含む。
・構造要素間の接続を含む。例：グリップ１０４はキーシークレット１０３およびシャンク１０２に接続され、キーシークレット機構２０２は特定の位置でのみキーシークレット送達溝２０１に接続される。
・要素の相互配置。例：固定仕切り２１７は、外側同軸シリンダー２１６−１と内側同軸シリンダー２１６−２の間に配置される。
・要素または装置全体の実行形状。例：偏心形状の穴２１７−２は、キー１００のシャンク１０２の形状に合わせて作られる。
・要素または装置全体の幾何学的形状。例：偏心形状の穴２１７−２は、グリップ１０４の形状に合わせて作られる。
・要素間の接続の実行形状。例：キーシークレット内側送達溝２０１−２は、作動中にのみロックシークレット機構２０２に接続される。
・要素およびそれらの関係のパラメータとその他の特性。例：グリップ１０４は偏心形状の穴２１７−２に配置される。
・要素または装置全体を構成する材料。例：グリップ１０４は磁石で作られる。
・要素として機能する環境。例：シャンク１０２は鋼で作られる。
・要素によって実行される機能。例：グリップ１０４は、キー１００を部分に分割する。
・要素間の連動によって実行される機能。例：キーシークレット送達機構２１２は、ロックシークレット機構２０２をキーシークレット送達溝２０１に接続する。
【０３１４】
方法特性の分析：
・操作または一連の操作を含む。  例：キー１００は部分に分割される。
・時間内の操作の実行順番。例：キー１００が部分に分割され、キーシークレット１０３がロックシークレット機構２０２へ送達される。
【０３１５】
操作を実行するための条件。例：ロックシークレット機構２０２の作動は、シャンク１０４から分割された適切なシークレットキー１０３の送達時に実行される。
【図１】
2021523315.tif 000003
【図２】
2021523315.tif 000004
【図３】
2021523315.tif 000005
【図４】
2021523315.tif 000006
【図５】
2021523315.tif 000007
【図６】
2021523315.tif 000008
【図７】
2021523315.tif 000009
【国際調査報告】
2021523315.tif 000010
2021523315.tif 000011